(57)【要約】  ピアツーピア通信ネットワーク内のページングを容易にするシステムおよび方法論が記載されている。第１の無線端末は、広域ネットワークのページングチャネルを監視する。第２の無線端末が第１の無線端末とのピアツーピア接続を確立することを意図している場合、第２の無線端末はページングメッセージを生成し、ページングメッセージを基地局にルーティングするＷＡＮにメッセージを転送する。基地局は、第１のターゲット無線端末にページングメッセージを送信するためにそのページングチャネルを使用する。ページングメッセージは、第１の無線端末が第２の無線端末とのピアツーピア接続を確立することを意図していることを第１のターゲット無線端末に示す。ページングメッセージはさらに、ピアツーピア接続を確立するために使用されるパラメータを含むことができる。ページングメッセージの受信の際、第２の無線端末は第１の無線端末に信号を直接送信して、直接ピアツーピア通信を開始する。
2010533440.tif 000002
【特許請求の範囲】
【請求項１】
ピアツーピア通信を開始するように（１つまたは複数の）インフラノードを介してターゲット無線端末をページングするためにページング無線端末を操作する方法であって、
ターゲット無線端末との直接ピアツーピア通信を開始するためのページング要求を生成することと、
前記ターゲット無線端末に前記ページング要求をルーティングするために、基地局に前記ページング要求を伝送することと、
ピアツーピア接続を介して前記ターゲット無線端末と通信することとを備える方法。
【請求項２】
前記ピアツーピア接続は、前記ページング無線端末と前記ターゲット無線端末の間の直接通信接続である請求項１に記載の方法。
【請求項３】
前記ページング要求は少なくとも第１のパラメータを含んでいる方法であって、
さらに、前記第１のパラメータの関数として前記ピアツーピア接続を判断することを備える請求項１に記載の方法。
【請求項４】
前記第１のパラメータは、前記ピアツーピア接続の識別子である請求項３に記載の方法。
【請求項５】
前記第１のパラメータは、前記ピアツーピア接続が前記ページング無線端末と前記ターゲット無線端末の間で開始する開始時間である請求項３に記載の方法。
【請求項６】
前記ページング要求は少なくとも第２のパラメータを含んでおり、前記第２のパラメータは、前記ターゲット無線端末の識別子およびネットワークアドレス、前記ページング無線端末の識別子およびネットワークアドレスの少なくとも１つである方法であって、
さらに、前記ページング要求を生成する前にブロードキャスト信号を受信することと、
前記ブロードキャスト信号から、前記ターゲット無線端末の前記識別子および前記ネットワークアドレスの前記少なくとも１つを導き出すこととを備える請求項１に記載の方法。
【請求項７】
前記ブロードキャスト信号は前記ターゲット無線端末によって送信され、前記ターゲット無線端末は、付近で無線端末にその識別子またはネットワークアドレスをブロードキャストするために前記ブロードキャスト信号を伝送する請求項６に記載の方法。
【請求項８】
前記ピアツーピア接続を使用して、前記ターゲット無線端末にトラヒックおよび制御データを伝送することをさらに備える請求項１に記載の方法。
【請求項９】
ターゲット無線端末との直接ピアツーピア通信を開始するためのページング要求を生成し、前記ターゲット無線端末に前記ページング要求をルーティングするために基地局にページング要求を伝送し、ピアツーピア接続を介して前記ターゲット無線端末と通信することに関連する指示を保持するメモリと、
前記メモリに結合され、前記メモリに保持された前記指示を実行するように構成されたプロセッサとを備える無線通信装置。
【請求項１０】
前記ピアツーピア接続は、ページング無線端末と前記ターゲット無線端末の間の直接通信接続である請求項９に記載の無線通信装置。
【請求項１１】
前記ページング要求は少なくとも第１のパラメータを含んでいる、請求項９に記載の無線通信装置。
【請求項１２】
前記メモリはさらに、前記第１のパラメータの関数として前記ピアツーピア接続を判断する指示を保持する請求項１１に記載の無線通信装置。
【請求項１３】
前記第１のパラメータは、前記ピアツーピア接続の識別子である請求項１２に記載の無線通信装置。
【請求項１４】
前記第１のパラメータは、前記ピアツーピア接続がページング無線端末と前記ターゲット無線端末の間で開始する開始時間である請求項１２に記載の無線通信装置。
【請求項１５】
前記ページング要求は少なくとも第２のパラメータを含んでおり、前記第２のパラメータは、前記ターゲット無線端末の識別子およびネットワークアドレス、ページング無線端末の識別子およびネットワークアドレスの少なくとも１つである請求項９に記載の無線通信装置。
【請求項１６】
前記メモリはさらに、前記ページング要求を生成する前にブロードキャスト信号を得て、前記ブロードキャスト信号から、前記ターゲット無線端末の前記識別子および前記ネットワークアドレスの前記少なくとも１つを導き出す指示を保持する請求項１５に記載の無線通信装置。
【請求項１７】
前記ブロードキャスト信号は前記ターゲット無線端末によって送信され、前記ターゲット無線端末は、付近で無線端末にその識別子またはネットワークアドレスをブロードキャストするために前記ブロードキャスト信号を伝送する請求項１６に記載の無線通信装置。
【請求項１８】
前記メモリはさらに、前記ピアツーピア接続を使用して、前記ターゲット無線端末にトラヒックおよび制御データを伝送する指示を保持する請求項９に記載の無線通信装置。
【請求項１９】
直接ピアツーピア通信の通知のためにページングメッセージを生成および伝送することを可能にする無線通信装置であって、
ターゲット無線端末との直接ピアツーピア通信を開始するためのページング要求を生成するための手段と、
前記ページング要求を前記ターゲット無線端末にルーティングするために前記ページング要求を基地局に転送するための手段と、
ピアツーピア接続を介して前記ターゲット無線端末と通信するための手段とを備える無線通信装置。
【請求項２０】
前記ピアツーピア接続は、ページング無線端末と前記ターゲット無線端末の間の直接通信接続である請求項１９に記載の無線通信装置。
【請求項２１】
前記ページング要求は少なくとも第１のパラメータを含んでいる請求項１９に記載の無線通信装置。
【請求項２２】
前記第１のパラメータの関数として前記ピアツーピア接続を判断するための手段をさらに備える請求項２１に記載の無線通信装置。
【請求項２３】
前記第１のパラメータは、前記ピアツーピア接続の識別子である請求項２２に記載の無線通信装置。
【請求項２４】
前記第１のパラメータは、前記ピアツーピア接続がページング無線端末と前記ターゲット無線端末の間で開始する開始時間である請求項２２に記載の無線通信装置。
【請求項２５】
前記ページング要求は少なくとも第２のパラメータを含んでおり、前記第２のパラメータは、前記ターゲット無線端末の識別子およびネットワークアドレス、ページング無線端末の識別子およびネットワークアドレスの少なくとも１つである請求項１９に記載の無線通信装置。
【請求項２６】
前記ページング要求を生成する前にブロードキャスト信号を受信するための手段と、
前記ブロードキャスト信号から、前記ターゲット無線端末の前記識別子および前記ネットワークアドレスの前記少なくとも１つを導き出すための手段をさらに備える請求項２５に記載の無線通信装置。
【請求項２７】
前記ブロードキャスト信号は前記ターゲット無線端末によって送信され、前記ターゲット無線端末は、付近で無線端末にその識別子またはネットワークアドレスをブロードキャストするために前記ブロードキャスト信号を伝送する請求項２６に記載の無線通信装置。
【請求項２８】
前記ピアツーピア接続を使用して、前記ターゲット無線端末にトラヒックおよび制御データを伝送するための手段をさらに備える請求項２６に記載の無線通信装置。
【請求項２９】
ターゲット無線端末との直接ピアツーピア通信を開始するためのページング要求を生成し、
前記ターゲット無線端末に前記ページング要求をルーティングするために基地局に前記ページング要求を伝送し、
ピアツーピア接続を介して前記ターゲット無線端末と通信する機械実行可能指示を記憶した機械読取可能媒体。
【請求項３０】
前記ピアツーピア接続は、ページング無線端末と前記ターゲット無線端末の間の直接通信接続である請求項２９に記載の機械読取可能媒体。
【請求項３１】
前記ページング要求は少なくとも第１のパラメータを含んでいる請求項２９に記載の機械読取可能媒体。
【請求項３２】
前記機械実行可能指示はさらに、前記第１のパラメータの関数として前記ピアツーピア接続を判断することを備える請求項３１に記載の機械読取可能媒体。
【請求項３３】
前記第１のパラメータは、前記ピアツーピア接続の識別子である請求項３２に記載の機械読取可能媒体。
【請求項３４】
前記第１のパラメータは、前記ピアツーピア接続がページング無線端末と前記ターゲット無線端末の間で開始する開始時間である請求項３２に記載の機械読取可能媒体。
【請求項３５】
前記ページング要求は少なくとも第２のパラメータを含んでおり、前記第２のパラメータは、前記ターゲット無線端末の識別子およびネットワークアドレス、ページング無線端末の識別子およびネットワークアドレスの少なくとも１つである請求項２９に記載の機械読取可能媒体。
【請求項３６】
前記機械実行可能指示はさらに、前記ページング要求を生成する前にブロードキャスト信号を受信し、前記ブロードキャスト信号から、前記ターゲット無線端末の前記識別子および前記ネットワークアドレスの前記少なくとも１つを導き出すことを含む請求項３５に記載の機械読取可能媒体。
【請求項３７】
前記ブロードキャスト信号は前記ターゲット無線端末によって送信され、前記ターゲット無線端末は、付近で無線端末にその識別子またはネットワークアドレスをブロードキャストするために前記ブロードキャスト信号を伝送する請求項３６に記載の機械読取可能媒体。
【請求項３８】
前記機械実行可能指示はさらに、前記ピアツーピア接続を使用して、前記ターゲット無線端末にトラヒックおよび制御データを伝送することを備える請求項３６に記載の機械読取可能媒体。
【請求項３９】
無線通信システムにおいて、
ターゲット無線端末との直接ピアツーピア通信を開始するためのページング要求を生成し、
前記ターゲット無線端末に前記ページング要求をルーティングするために基地局に前記ページング要求を転送し、
ピアツーピア接続を介して前記ターゲット無線端末と通信するように構成されたプロセッサを備える装置。
【請求項４０】
ピアツーピア通信を確立するために（１つまたは複数の）インフラノードを介してページング無線端末によってページングされるようにターゲット無線端末を操作する方法であって、
ページングインターバル中に基地局からの伝送を監視することと、
前記ページングインターバル内に前記基地局からの前記伝送に含まれるページングメッセージが、前記ターゲット無線端末に関連していることを判断することと、
ピアツーピア接続を介して前記ページング無線端末と通信することとを備える方法。
【請求項４１】
前記ピアツーピア接続は、前記ページング無線端末と前記ターゲット無線端末の間の直接通信接続である請求項４０に記載の方法。
【請求項４２】
前記ページング要求は少なくとも第１のパラメータを含んでいる方法であって、
さらに、前記第１のパラメータの関数として前記ピアツーピア接続を判断することを含む請求項４０に記載の方法。
【請求項４３】
前記第１のパラメータは、前記ピアツーピア接続の識別子である請求項４２に記載の方法。
【請求項４４】
前記第１のパラメータは、前記ピアツーピア接続が前記ページング無線端末と前記ターゲット無線端末の間で開始する開始時間である請求項４２に記載の方法。
【請求項４５】
前記基地局から前記ページングメッセージを受信する前に、付近で無線端末にブロードキャスト信号を伝送することをさらに備える方法であって、前記ブロードキャスト信号は前記ターゲット無線端末の少なくとも識別子およびネットワークアドレスを含んでいる請求項４０に記載の方法。
【請求項４６】
前記ページングインターバル内に前記基地局からの前記伝送内に含まれる前記ページングメッセージが、前記ターゲット無線端末に関連していないと判断された場合、スリープ状態に遷移することと、
前記ピアツーピア接続を介してトラヒックおよび制御データを伝送または受信しないようにすることとをさらに備える請求項４０に記載の方法。
【請求項４７】
前記ページングメッセージが、前記ターゲット無線端末に含まれたパラメータと前記ターゲット無線端末の識別子の間の比較に基づいて、前記ターゲット無線端末に関連しているかどうかを判断する請求項４０に記載の方法。
【請求項４８】
前記ピアツーピア接続を使用して、前記ページング無線端末からトラヒックおよび制御データを受信することをさらに備える請求項４０に記載の方法。
【請求項４９】
ページングインターバル中に基地局からの伝送を監視し、前記ページングインターバル内に前記基地局からの前記伝送に含まれるページングメッセージが、ターゲット無線端末に関連していることを判断し、ピアツーピア接続を介してページング無線端末と通信することに関連する指示を保持するメモリと、
前記メモリに結合され、前記メモリに保持された指示を実行するように構成されたプロセッサとを備える無線通信装置。
【請求項５０】
前記ピアツーピア接続は、前記ページング無線端末と前記ターゲット無線端末の間の直接通信接続である請求項４９に記載の無線通信装置。
【請求項５１】
前記ページングメッセージは少なくとも第１のパラメータを含んでいる請求項４９に記載の無線通信装置。
【請求項５２】
前記メモリはさらに、前記第１のパラメータの関数として前記ピアツーピア接続を判断する指示を保持する請求項５１に記載の無線通信装置。
【請求項５３】
前記第１のパラメータは、前記ピアツーピア接続の識別子である請求項５２に記載の無線通信装置。
【請求項５４】
前記第１のパラメータは、前記ピアツーピア接続が前記ページング無線端末と前記ターゲット無線端末の間で開始する開始時間である請求項５２に記載の無線通信装置。
【請求項５５】
前記メモリはさらに、前記基地局から前記ページングメッセージを受信する前に、付近で無線端末にブロードキャスト信号を伝送する指示を保持し、前記ブロードキャスト信号は前記ターゲット無線端末の少なくとも識別子およびネットワークアドレスを含んでいる請求項４９に記載の無線通信装置。
【請求項５６】
前記メモリは、前記ページングインターバル内に前記基地局からの前記伝送内に含まれる前記ページングメッセージが、前記ターゲット無線端末に関連していないと判断された場合、スリープ状態に遷移し、前記ピアツーピア接続を介してトラヒックおよび制御データを伝送または受信しないようにする指示を保持する請求項４９に記載の無線通信装置。
【請求項５７】
前記メモリはさらに、前記ページングメッセージが、前記ページングメッセージに含まれたパラメータと前記ターゲット無線端末の識別子の間の比較に基づいて、前記ターゲット無線端末に関連しているかどうかを判断する指示を含む請求項４９に記載の無線通信装置。
【請求項５８】
前記メモリはさらに、前記ピアツーピア接続を使用して、前記ページング無線端末からトラヒックおよび制御データを受信する指示を保持する請求項４９に記載の無線通信装置。
【請求項５９】
（１つまたは複数の）インフラノードを介してページング無線端末によってページングすることが可能な無線通信装置であって、
ページングインターバル中に基地局からの伝送を監視するための手段と、
前記ページングインターバル内に前記基地局からの伝送に含まれるページングメッセージが、ターゲット無線端末に関連していることを判断するための手段と、
ピアツーピア接続を介して前記ページング無線端末と通信するための手段とを備える無線通信装置。
【請求項６０】
前記ピアツーピア接続は、前記ページング無線端末と前記ターゲット無線端末の間の直接通信接続である請求項５９に記載の無線通信装置。
【請求項６１】
前記ページングメッセージは少なくとも第１のパラメータを含んでいる請求項５９に記載の無線通信装置。
【請求項６２】
前記第１のパラメータの関数として前記ピアツーピア接続を判断するための手段をさらに備える請求項６１に記載の無線通信装置。
【請求項６３】
前記第１のパラメータは、前記ピアツーピア接続の識別子である請求項６２に記載の無線通信装置。
【請求項６４】
前記第１のパラメータは、前記ピアツーピア接続が前記ページング無線端末と前記ターゲット無線端末の間で開始する開始時間である請求項６２に記載の無線通信装置。
【請求項６５】
前記基地局から前記ページングメッセージを受信する前に、付近で無線端末にブロードキャスト信号を伝送するための手段をさらに備える無線通信装置であって、前記ブロードキャスト信号は前記ターゲット無線端末の少なくとも識別子およびネットワークアドレスを含んでいる請求項５９に記載の無線通信装置。
【請求項６６】
前記ページングインターバル内に前記基地局からの前記伝送内に含まれる前記ページングメッセージが、前記ターゲット無線端末に関連していないと判断された場合、スリープ状態に遷移するための手段と、
前記ピアツーピア接続を介してトラヒックおよび制御データを伝送または受信しないようにするための手段とをさらに備える請求項５９に記載の無線通信装置。
【請求項６７】
前記ページングメッセージが、前記ページングメッセージに含まれたパラメータと前記ターゲット無線端末の識別子の間の比較に基づいて、前記ターゲット無線端末に関連しているかどうかを判断するための手段をさらに備える請求項５９に記載の無線通信装置。
【請求項６８】
前記ピアツーピア接続を使用して、前記ページング無線端末からトラヒックおよび制御データを受信するための手段をさらに備える請求項５９に記載の無線通信装置。
【請求項６９】
ページングインターバル中に基地局からの伝送を監視し、
前記ページングインターバル内に前記基地局からの前記伝送に含まれるページングメッセージが、ターゲット無線端末に関連していることを判断し、
ピアツーピア接続を介してページング無線端末と通信する機械実行可能指示を記憶した機械読取可能媒体。
【請求項７０】
前記ピアツーピア接続は、前記ページング無線端末と前記ターゲット無線端末の間の直接通信接続である請求項６９に記載の機械読取可能媒体。
【請求項７１】
前記ページングメッセージは少なくとも第１のパラメータを含んでいる請求項６９に記載の機械読取可能媒体。
【請求項７２】
前記機械実行可能指示はさらに、前記第１のパラメータの関数として前記ピアツーピア接続を判断することを備える請求項７１に記載の機械読取可能媒体。
【請求項７３】
前記第１のパラメータは、前記ピアツーピア接続の識別子である請求項７２に記載の機械読取可能媒体。
【請求項７４】
前記機械実行可能指示はさらに、前記基地局から前記ページングメッセージを受信する前に、付近で無線端末にブロードキャスト信号を伝送することを備え、前記ブロードキャスト信号は前記ターゲット無線端末の少なくとも識別子およびネットワークアドレスを含んでいる請求項７２に記載の機械読取可能媒体。
【請求項７５】
前記機械実行指示はさらに、前記ページングインターバル内に前記基地局からの前記伝送内に含まれる前記ページングメッセージが、前記ターゲット無線端末に関連していないと判断された場合、スリープ状態に遷移し、前記ピアツーピア接続を介してトラヒックおよび制御データを伝送または受信しないようにすることを備える請求項６９に記載の機械読取可能媒体。
【請求項７６】
前記機械実行指示はさらに、前記ページングメッセージが、前記ページングメッセージに含まれたパラメータと前記ターゲット無線端末の識別子の間の比較に基づいて、前記ターゲット無線端末に関連しているかどうかを判断することを備える請求項６９に記載の機械読取可能媒体。
【請求項７７】
前記機械実行指示はさらに、前記ピアツーピア接続を使用して、前記ページング無線端末からトラヒックおよび制御データを受信することを備える請求項６９に記載の機械読取可能媒体。
【請求項７８】
無線通信システム内において、
ページングインターバル中に基地局からの伝送を監視し、
前記ページングインターバル内に前記基地局からの前記伝送に含まれるページングメッセージが、ターゲット無線端末に関連していることを判断し、
ピアツーピア接続を介してページング無線端末と通信するように構成されたプロセッサを備える装置。
【請求項７９】
直接ピアツーピア通信で利用するためにピア間でページングメッセージをルーティングすることを容易にする方法であって、
ターゲット無線端末用を意図したページング無線端末からページングメッセージを受信することであって、前記ページングメッセージは、前記ページング無線端末と前記ターゲット無線端末の間の直接ピアツーピア通信を開始することと、
前記ターゲット無線端末が関連するサービスエリア内に配置されているかどうかを判断することと、
前記ターゲット無線端末が前記関連するサービスエリア内にあることを判断する際に、前記ターゲット無線端末に前記ページングメッセージを伝送することとを備える方法。
【請求項８０】
前記ターゲット無線端末がサービスエリアの外にあると判断された場合、前記ページングメッセージを、通信インフラを通して前記ターゲット無線端末にルーティングすることをさらに備える請求項７９に記載の方法。
【請求項８１】
前記通信インフラは、ターゲット無線端末に対応するホームエージェントに関連させられ、前記ホームエージェントは、前記ターゲット無線端末を配置することを可能にする請求項８０に記載の方法。
【請求項８２】
前記ページングメッセージは、直接通信接続識別子、前記ターゲット無線端末の識別子およびネットワークアドレスの少なくとも１つ、前記ページングメッセージを生成する前記ページング無線端末の識別子およびネットワークアドレスの少なくとも１つ、および／または直接通信の開始時間に関連する情報を含んでいる請求項７９に記載の方法。
【請求項８３】
前記ターゲット無線端末のアイデンティティを解読するためにページングメッセージを評価し、前記ターゲット無線端末の前記アイデンティティの関数として前記ページングメッセージを伝送するために前記ページングインターバルを判断することをさらに備える請求項７９に記載の方法。
【請求項８４】
前記サービスエリアは、前記ページングメッセージを受信する基地局に関連している請求項７９に記載の方法。
【請求項８５】
前記ターゲット無線端末が前記関連するサービスエリア内にある場合、通信インフラをバイパスすることをさらに含む請求項７９に記載の方法。
【請求項８６】
ターゲット無線端末用を意図したページング無線端末からページングメッセージを得て、前記ターゲット無線端末が関連するサービスエリア内に位置決めされているかどうか評価し、前記ターゲット無線端末が前記関連するサービスエリア内にあることを判断する際に、前記ターゲット無線端末に前記ページングメッセージを送信することに関連する指示を保持するメモリと、
前記メモリに結合され、前記メモリに保持された前記指示を実行するように構成されたプロセッサとをさらに備える無線通信装置。
【請求項８７】
前記ページングメッセージは、前記ページング無線端末と前記ターゲット無線端末の間の直接ピアツーピア通信を開始する請求項８６に記載の無線通信装置。
【請求項８８】
前記ページングメッセージは、直接通信接続識別子、前記ターゲット無線端末の識別子およびネットワークアドレスの少なくとも１つ、前記ページングメッセージを生成する前記ページング無線端末の識別子およびネットワークアドレスの少なくとも１つ、および／または直接通信の開始時間に関連する情報を含んでいる請求項８７に記載の無線通信装置。
【請求項８９】
前記メモリはさらに、前記ターゲット無線が前記関連するサービスエリアの外にあると判断された場合、前記ページングメッセージを、通信インフラを通して前記ターゲット無線端末にルーティングする指示を保持している請求項８７に記載の無線通信装置。
【請求項９０】
前記通信インフラは、ターゲット無線端末に対応するホームエージェントに関連させられ、前記ホームエージェントは、前記ターゲット無線端末を配置することを可能にする請求項８９に記載の無線通信装置。
【請求項９１】
前記メモリはさらに、前記ページングメッセージからの前記ターゲット無線端末のアイデンティティを判断する指示を保持する請求項８７に記載の無線通信装置。
【請求項９２】
前記メモリはさらに、前記ターゲット無線端末が前記関連するサービスエリア内にある場合、通信インフラをバイパスする指示を保持する請求項８７に記載の無線通信装置。
【請求項９３】
直接ピアツーピア通信のためにページングメッセージをルーティングすることを可能にする無線通信装置であって、
ターゲット無線端末を対象としたページング無線端末からページングメッセージを得るための手段と、
前記ターゲット無線端末が対応するサービスエリア内にあるかどうかを判断するための手段と、
前記ページング無線端末と前記ターゲット無線端末の間の直接ピアツーピア通信を可能にするための前記判断により、前記ターゲット無線端末に前記ページングメッセージをルーティングするための手段とをさらに備える無線通信装置。
【請求項９４】
前記ページングメッセージは、直接通信接続識別子、前記ターゲット無線端末の直接通信識別子、前記ページングメッセージを生成する前記ページング無線端末の直接通信識別子、および／または直接通信の開始時間に関連する情報を含んでいる請求項９３に記載の無線通信装置。
【請求項９５】
前記ターゲット無線端末が近傍内にあると判断された場合、前記ターゲット無線端末に前記ページングメッセージを直接転送するための手段をさらに備える請求項９３に記載の無線通信装置。
【請求項９６】
前記ターゲット無線端末が前記サービスエリアの外にあると判断された場合、通信インフラを介して前記ターゲット無線端末に前記ページングメッセージを間接的に転送するための手段をさらに備える請求項９３に記載の無線通信装置。
【請求項９７】
前記ページングメッセージからの前記ターゲット無線端末のアイデンティティを解読するための手段をさらに備える請求項９３に記載の無線通信装置。
【請求項９８】
ターゲット無線端末用を意図したページング無線端末からページングメッセージを受信し、前記ページングメッセージが、前記ページング無線端末と前記ターゲット無線端末の間の直接ピアツーピア通信を開始し、
前記ターゲット無線端末が関連するサービスエリア内に配置されているかどうかを判断し、
前記ターゲット無線端末が前記関連するサービスエリア内にあることを判断する際に、前記ターゲット無線端末に前記ページングメッセージを伝送する機械実行可能指示を記憶した機械読取可能媒体。
【請求項９９】
前記ページングメッセージは、直接通信接続識別子、前記ターゲット無線端末の直接通信識別子、前記ページングメッセージを生成する前記ページング無線端末の直接通信識別子、および／または直接通信の開始時間に関連する情報を含んでいる請求項９８に記載の機械読取可能媒体。
【請求項１００】
前記機械実行可能指示はさらに、前記ターゲット無線が前記関連するサービスエリアの外にあると判断された場合、前記ページングメッセージを、通信インフラを通して前記ターゲット無線端末にルーティングすることを備える請求項９８に記載の機械読取可能媒体。
【請求項１０１】
前記通信インフラは、ターゲット無線端末に対応するホームエージェントに関連させられ、前記ホームエージェントは、前記ターゲット無線端末を配置することを可能にする請求項１００に記載の機械読取可能媒体。
【請求項１０２】
前記機械実行可能指示はさらに、前記ターゲット無線端末のアイデンティティを解読するために前記ページングメッセージを評価することを備える請求項９８に記載の機械読取可能媒体。
【請求項１０３】
前記機械実行可能指示はさらに、前記ターゲット無線端末が前記関連するサービスエリア内にある場合、通信インフラをバイパスすることを備える請求項９８に記載の機械読取可能媒体。
【請求項１０４】
無線通信システムにおいて、
ターゲット無線端末を対象としたページング無線端末からページングメッセージを受信し、
前記ターゲット無線端末が対応するサービスエリア内にあるかどうかを判断し、
前記ページング無線端末と前記ターゲット無線端末の間の直接ピアツーピア通信を可能にするための判断により、前記ターゲット無線端末に前記ページングメッセージをルーティングするように構成されたプロセッサを備える装置。
【発明の詳細な説明】
【技術分野】
【０００１】
以下の説明は概して、無線通信に関し、より詳細には、ピアがピアツーピアネットワークで通信を確立する前に互いにページングすることを可能にすることに関する。
【背景技術】
【０００２】
無線通信システムは、様々なタイプの通信を行うように広く展開され、例えば、音声および／またはデータをこのような無線通信システムを介して提供することができる。典型的な無線通信システム、またはネットワークは、１つまたは複数の共有リソースへのアクセスを多数のユーザに提供することができる。例えば、システムは、周波数分割多重（ＦＤＭ）、時間分割多重（ＴＤＭ）、符号分割多重（ＣＤＭ）、直交周波数分割（ＯＦＤＭ）、およびその他などの様々な多重アクセス技法を使用することができる。
【０００３】
一般的な無線通信システムは、サービスエリアを提供する１つまたは複数の基地局を利用する。典型的な基地局は、ブロードキャスト、マルチキャスト、および／またはユニキャストサービス用の多数のデータストリームを伝送することができ、データストリームは、無線端末への個々の受信対象となり得るデータの流れであってもよい。このような基地局のサービスエリア内の無線端末は、合成ストリームによって運ばれるデータストリームの１つ、２つ以上、または全てを受信するために利用することができる。同様に、無線端末は、データを基地局または別の無線端末に伝送することができる。
【０００４】
無線通信システムは、データを転送するために無線スペクトルの様々な部分を利用する。しかし、無線スペクトルは、費用のかかる高価な資源である。例えば、無線スペクトルの一部にわたって（例えば、認可スペクトル内で）無線通信システムを操作したい会社がかなりの費用を負担する可能性がある。さらに、従来の技法は典型的には、無線スペクトルを不十分に利用している。一般的な実例によると、広域ネットワークセルラー通信に割り当てられたスペクトルはしばしば、時間および空間にわたって均一には利用されず、したがって、かなりの部分のスペクトルが、所与の地理的位置、または所与の時間間隔で使用されない可能性がある。
【０００５】
別の例では、無線通信システムはしばしば、ピアツーピアまたはアドホックアーキテクチャを利用し、それにより無線端末は信号を別の無線端末に直接転送することができる。このように、信号は基地局を通過する必要はなく、むしろ互いの範囲内の無線端末は直接発見および／または通信することができる。しかし、従来のピアツーピアネットワークは典型的には非同期の方法で動作し、それによってピアは特定の時間で異なるタスクを達成する可能性がある。したがって、ピアは範囲内の異なるピアの特定、および／またはこれとの通信に関連する問題に直面する可能性があり、電力が不十分にしか利用することができないことなどがある。
【発明の概要】
【０００６】
以下は、このような実施形態の基本的な理解を提供するために、１つまたは複数の実施形態の簡単な要約を示している。この要約は、全ての考えられる実施形態の広範囲におよぶ要約ではなく、全ての実施形態の主要なまたは重要な要素を特定することも、任意のまたは全ての実施形態の範囲を描写することを意図したものではない。その唯一の目的は、以下に提示するより詳細な説明の前置きとして単純な形で１つまたは複数の実施形態のいくつかの概念を提示することである。
【０００７】
１つまたは複数の実施形態およびその対応する開示によると、ピアツーピア通信ネットワーク内でのページングを容易にすることに関連する様々な態様が記載されている。ページングメッセージは、ページング無線端末で生成させ、基地局に転送することができる。基地局はその後、ページングメッセージをターゲット無線端末にルーティングすることができる。例えば、ターゲット無線端末が基地局の範囲内にある場合、基地局はページングメッセージをターゲット無線端末に直接送信することができる。別の例によると、基地局は、（例えば、ターゲット無線端末が基地局の範囲外にある場合）ページングメッセージをターゲット無線端末に間接的にルーティングするために、ページングメッセージを通信インフラネットワークに提供することができる。ページングメッセージにより、直接ピアツーピア通信をページング無線端末とターゲット無線端末の間で開始することが可能になる。
【０００８】
関連態様によると、ピアツーピア通信を開始するように（１つまたは複数の）インフラノードを介してターゲット無線端末をページングするためにページング無線端末を操作する方法が、本明細書に記載されている。この方法は、ターゲット無線端末との直接ピアツーピア通信を開始するためのページング要求を生成することを含むことができる。さらに、この方法は、ターゲット無線端末にページング要求をルーティングするために、基地局にページング要求を伝送することを含むことができる。さらに、この方法はピアツーピア接続を介してターゲット無線端末と通信することを含むことができる。
【０００９】
別の態様は、無線通信装置に関する。無線通信装置は、ターゲット無線端末との直接ピアツーピア通信を開始するためのページング要求を生成し、ターゲット無線端末にページング要求をルーティングするために基地局にページング要求を伝送し、ピアツーピア接続を介してターゲット無線端末と通信することに関連する指示を保持するメモリを備えることができる。さらに、無線通信装置は、メモリに結合され、メモリに保持された指示を実行するように構成されたプロセッサを備えることができる。
【００１０】
さらに別の態様は、直接ピアツーピア通信の通知のためにページングメッセージを生成および伝送することを可能にする無線通信装置に関する。無線通信装置は、ターゲット無線端末との直接ピアツーピア通信を開始するためのページング要求を生成するための手段を備えることができる。さらに、無線通信装置は、ページング要求をターゲット無線端末にルーティングするためにページング要求を基地局に転送するための手段を備えることができる。さらに、無線通信装置は、ピアツーピア接続を介してターゲット無線端末と通信するための手段を備えることができる。
【００１１】
さらに別の態様は、ターゲット無線端末との直接ピアツーピア通信を開始するためのページング要求を生成し、ターゲット無線端末にページング要求をルーティングするために基地局にページング要求を伝送し、ピアツーピア接続を介してターゲット無線端末と通信する機械実行可能指示を記憶した機械読取可能媒体に関する。
【００１２】
別の態様によると、無線通信システム内の装置はプロセッサを備えることができ、プロセッサはターゲット無線端末との直接ピアツーピア通信を開始するためのページング要求を生成するように構成することができる。プロセッサはまた、ターゲット無線端末にページング要求をルーティングするために基地局にページング要求を転送するように構成することができる。さらに、プロセッサは、ピアツーピア接続を介してターゲット無線端末と通信するように構成することができる。
【００１３】
他の態様によると、ピアツーピア通信を確立するために（１つまたは複数の）インフラノードを介してページング無線端末によってページングされるようにターゲット無線端末を操作する方法が、本明細書に記載されている。この方法は、ページングインターバル中に基地局からの伝送を監視することを含むことができる。さらに、この方法は、ページングインターバル内に基地局からの伝送に含まれるページングメッセージが、ターゲット無線端末に関連していることを判断することを含むことができる。さらに、この方法は、ピアツーピア接続を介してページング無線端末と通信することを含むことができる。
【００１４】
さらに別の態様は、ページングインターバル中に基地局からの伝送を監視し、ページングインターバル内に基地局からの伝送に含まれるページングメッセージが、ターゲット無線端末に関連していることを判断し、ピアツーピア接続を介してページング無線端末と通信することに関連する指示を保持するメモリを備えることができる無線通信装置に関する。さらに、無線通信装置は、メモリに結合され、メモリに保持された指示を実行するように構成されたプロセッサを備えることができる。
【００１５】
別の態様は、（１つまたは複数の）インフラノードを介してページング無線端末によってページングすることが可能な無線通信装置に関する。無線通信装置は、ページングインターバル中に基地局からの伝送を監視するための手段と、ページングインターバル内に基地局からの伝送に含まれるページングメッセージが、ターゲット無線端末に関連していることを判断するための手段と、ピアツーピア接続を介してページング無線端末と通信するための手段とを備えることができる。
【００１６】
さらに別の態様は、ページングインターバル中に基地局からの伝送を監視し、ページングインターバル内に基地局からの伝送に含まれるページングメッセージが、ターゲット無線端末に関連していることを判断し、ピアツーピア接続を介してページング無線端末と通信する機械実行可能指示を記憶した機械読取可能媒体に関する。
【００１７】
別の態様によると、無線通信システム内の装置はプロセッサを備えることができ、プロセッサは、ページングインターバル中に基地局からの伝送を監視するように構成することができる。さらに、プロセッサは、ページングインターバル内に基地局からの伝送に含まれるページングメッセージが、ターゲット無線端末に関連していることを判断するように構成することができる。さらに、プロセッサは、ピアツーピア接続を介してページング無線端末と通信するように構成することができる。
【００１８】
他の態様によると、直接ピアツーピア通信で利用するためにピア間でページングメッセージをルーティングすることを容易にする方法が、本明細書に記載されている。この方法は、ターゲット無線端末用を意図したページング無線端末からページングメッセージを受信することを含むことができ、ページングメッセージは、ページング無線端末とターゲット無線端末の間の直接ピアツーピア通信を開始する。さらに、この方法は、ターゲット無線端末が関連するサービスエリア内に配置されているかどうかを判断することを含むことができる。さらに、この方法は、ターゲット無線端末が関連するサービスエリア内にあることを判断する際に、ターゲット無線端末にページングメッセージを伝送することを含むことができる。
【００１９】
別の態様は、無線通信装置に関する。無線通信装置は、ターゲット無線端末用を意図したページング無線端末からページングメッセージを得て、ターゲット無線端末が関連するサービスエリア内に位置決めされているかどうか評価し、ターゲット無線端末が関連するサービスエリア内にあることを判断する際に、ターゲット無線端末にページングメッセージを送信することに関連する指示を保持するメモリを備えることができる。さらに、無線通信装置は、メモリに結合され、メモリに保持された指示を実行するように構成されたプロセッサを備えることができる。
【００２０】
さらに別の態様は、直接ピアツーピア通信のためにページングメッセージをルーティングすることを可能にする無線通信装置に関する。無線通信装置は、ターゲット無線端末を対象としたページング無線端末からページングメッセージを得るための手段と、ターゲット無線端末が対応するサービスエリア内にあるかどうかを判断するための手段と、ページング無線端末とターゲット無線端末の間の直接ピアツーピア通信を可能にするための判断により、ターゲット無線端末にページングメッセージをルーティングするための手段とを備えることができる。
【００２１】
さらに別の態様は、ターゲット無線端末用を意図したページング無線端末からページングメッセージを受信する機械実行可能指示を記憶した機械読取可能媒体に関し、ページングメッセージは、ページング無線端末とターゲット無線端末の間の直接ピアツーピア通信を開始する。さらに、機械読取可能媒体は、ターゲット無線端末が関連するサービスエリア内に配置されているかどうかを判断し、ターゲット無線端末が関連するサービスエリア内にあることを判断する際に、ターゲット無線端末にページングメッセージを伝送する機械実行可能指示を記憶することができる。
【００２２】
別の態様によると無線通信システム内の装置はプロセッサを備えることができ、プロセッサは、ターゲット無線端末を対象としたページング無線端末からページングメッセージを受信し、ターゲット無線端末が対応するサービスエリア内にあるかどうかを判断し、ページング無線端末とターゲット無線端末の間の直接ピアツーピア通信を可能にするための判断により、ターゲット無線端末にページングメッセージをルーティングするように構成することができる。
【００２３】
前述および関連する目的の達成のために、１つまたは複数の実施形態は、これ以下に完全に説明し、特に特許請求の範囲で指摘する特徴を含んでいる。以下の説明および添付の図面は、１つまたは複数の実施形態の特定の例示的な態様を詳細に記載している。しかし、これらの態様は、様々な実施形態の原理を利用することができ、記載した実施形態がこのような態様全ておよびその同等物を含むことを意図した様々な方法のいくつかを示しているだけである。
【図面の簡単な説明】
【００２４】
【図１】本明細書に記載された様々な態様による無線通信システムの図である。
【図２】１つまたは複数のインフラノードを通してピアツーピアページングのためのページングメッセージを転送することを可能にする例示的なシステムの図である。
【図３】ページングメッセージをインフラベースページング機構を介して転送することができる、直接ピアツーピア通信を開始するために、無線端末間でページングメッセージを転送する例示的システムの図である。
【図４】ピアツーピアネットワーク上でのページングを達成する例示的システムの図である。
【図５】ピアツーピア通信を開始するために、（１つまたは複数の）インフラノードを介してターゲット無線端末をページングするようにページング無線端末を操作する例示的方法の図である。
【図６】ピアツーピア通信を確立するために、（１つまたは複数の）インフラノードを介してページング無線端末によってページングされるようにターゲット無線端末を操作する例示的方法の図である。
【図７】直接ピアツーピア通信に関連して利用するためにピア間でページングメッセージをルーティングすることを容易にする例示的方法の図である。
【図８】多数のセルを含んでいる、様々な態様により実施される例示的通信システムの図である。
【図９】様々な態様による例示的基地局の図である。
【図１０】本明細書に記載された様々な態様により実施される例示的無線端末（例えば、モバイルデバイス、エンドノード、・・・）の図である。
【図１１】直接ピアツーピア通信の通知のためにページングメッセージを生成および伝送することを可能にする例示的システムの図である。
【図１２】直接ピアツーピア通信のためにページングメッセージをルーティングすることを可能にする例示的システムの図である。
【図１３】（１つまたは複数の）インフラノードを介してページング無線端末によってページングされることを可能にする例示的システムの図である。
【発明を実施するための形態】
【００２５】
次に、図面を参照して様々な実施形態を記載し、同様の参照番号が全体を通して同様の要素のことを言うために使用されている。以下の説明では、説明する目的で、１つまたは複数の実施形態の完全な理解のために、多くの特定の詳細が記載されている。しかし、このような（１つまたは複数の）実施形態は、これらの特定の詳細なしで実施することができることが明らかである。他の例では、１つまたは複数の実施形態を説明するのを容易にするために、よく知られている構造およびデバイスがブロック図に示されている。
【００２６】
本出願で使用されているように、「コンポーネント」、「モジュール」、「システム」などの用語は、コンピュータ関連エンティティ、ハードウェア、ファームウェア、ハードウェアおよびソフトウェアの組合せ、ソフトウェア、または実行中のソフトウェアのいずれかのことを言うことを意図している。例えば、コンポーネントは、これに限らないが、プロセッサ上で実行しているプロセス、プロセッサ、オブジェクト、実行ファイル、実行のスレッド、プログラム、および／またはコンピュータであってもよい。例として、コンピュータデバイス上で実行しているアプリケーションおよびコンピュータデバイスは両方とも、コンポーネントであってもよい。１つまたは複数のコンポーネントは、実行のプロセスおよび／またはスレッド内に存在することができ、コンポーネントを１つのコンピュータ上でローカライズすることができる、および／または２つ以上のコンピュータ間で分配することができる。加えて、これらのコンポーネントは、様々なデータ構造が記憶された様々なコンピュータ読取可能媒体から実行することができる。コンポーネントは、１つまたは複数のデータパケット（例えば、ローカルシステム、分配されたシステム内の別のコンポーネントと相互作用する１つのコンポーネントからの、および／または信号により他のシステムでインターネットなどのネットワークにわたるデータ）を有する信号などに従って、ローカルおよび／または遠隔プロセスにより通信することができる。
【００２７】
さらに、無線端末に関連して様々な実施形態が本明細書に記載されている。無線端末はまた、システム、加入者ユニット、加入者局、移動局、移動体、移動デバイス、遠隔局、遠隔端末、アクセス端末、ユーザ端末、端末、無線通信デバイス、ユーザエージェント、ユーザデバイス、またはユーザ装置（ＵＥ）と呼ぶこともできる。無線端末は、セルラー電話機、コードレス電話機、セッション開始プロトコル（ＳＩＰ）電話機、無線ローカルループ（ＷＬＬ）局、携帯情報端末（ＰＤＡ）、無線接続能力を有する携帯用デバイス、コンピューティングデバイス、または無線モデムに接続された他の処理デバイスであってもよい。さらに、様々な実施形態が基地局に関連して本明細書に記載されている。（１つまたは複数の）端末と通信するために基地局を利用することができ、また、基地局を、アクセスポイント、Ｎｏｄｅ  Ｂ、またはいくつかの専門用語で呼ぶこともできる。
【００２８】
さらに、本明細書に記載した様々な態様および特徴を、標準的プログラミングおよび／またはエンジニアリング技法を使用した製造方法、装置、または製造品として実施することができる。本明細書で使用されるような「製造品」という用語は、任意のコンピュータ読取可能デバイス、キャリア、または媒体からアクセス可能なコンピュータプログラムを含むことを意図している。例えば、コンピュータ読取可能媒体は、これに限らないが、磁気記憶デバイス（例えば、ハードディスク、フロッピー（登録商標）ディスク、磁気ストライプなど）、光学ディスク（例えば、コンパクトディスク（ＣＤ）、デジタル多用途ディスク（ＤＶＤ）など）、スマートカード、およびフラッシュメモリデバイス（例えば、ＥＰＲＯＭ、カード、スティック、キードライブなど）を含むことができる。加えて、本明細書に記載された様々な記憶媒体は、情報を記憶する１つもしくは複数のデバイスおよび／または他の機械読取可能媒体を示すことができる。「機械読取可能媒体」という用語としては、これに限らないが、（１つまたは複数の）指示および／またはデータを記憶する、含む、および／または搬送することが可能な無線チャネルおよび様々な他の媒体を挙げることができる。
【００２９】
次に図１を参照すると、本明細書に提示した様々な実施形態による無線通信システム１００が図示されている。システム１００は、１つまたは複数の無線端末１０２を備えることができる。２つの無線端末１０２が図示されているが、システム１００は実質的に任意の数の無線端末１０２を備えることができることを理解されたい。無線端末１０２は例えば、セルラー電話機、スマートフォン、ノートパソコン、携帯用通信デバイス、携帯用コンピューティングデバイス、衛星ラジオ、全地球測位システム、ＰＤＡ、および／または無線通信システム１００上で通信するための任意の他の適切なデバイスであってもよい。無線端末１０２は、ローカルエリアピアツーピア（Ｐ２Ｐ）ネットワーク（例えば、アドホックネットワーク）を介して互いに直接通信することができる。ピアツーピア通信は、無線端末１０２の間に信号を直接転送することによって達成することができ、したがって、信号は基地局（例えば、基地局１０４）を通過する必要はない。ピアツーピアネットワークは、短距離高データ転送速度通信（例えば、家庭、オフィスなどのタイプの設定内で）を提供することができる。
【００３０】
さらに、システム１００は、ワイドエリアネットワーク（ＷＡＮ）（例えば、セルラーＷＡＮシステム）をサポートすることができる。システム１００は、無線通信信号を互いにおよび／または１つもしくは複数の無線端末１０２に対して受信、伝送、中継などをする１つまたは複数のセクタ内に基地局１０４（例えば、アクセスポイント）、および／または任意の数の異なる基地局（図示せず）を備えることができる。基地局１０４は、送信機チェーンおよび受信機チェーンを備えることができ、当業者には分かるように、それらはそれぞれ信号送受信に関連する複数のコンポーネント（例えば、プロセッサ、変調器、マルチプレクサ、復調器、デマルチプレクサ、アンテナ、・・・）を備えることができる。（１つまたは複数の）無線端末１０２は、システム１００によってサポートされるワイドエリアインフラ構造ネットワークを介して通信する場合、信号を基地局１０４に伝送し、および／または信号を基地局１０４から受信することができる。
【００３１】
無線端末１０２間のピアツーピア通信は同期し得る。例えば、無線端末１０２は、異なる機能のパフォーマンスを同期させるために共通のクロック基準を利用することができる。無線端末１０２は、無線端末１０２の動作を同期させるために利用される基地局１０４（および／またはより小さい機能性を提供する送信機（図示せず））からタイミング信号を得ることができる。無線端末１０２は、ＧＰＳ衛星などの他のソースからタイミング信号を得ることができる。図によると、時間は、ピア発見(peer discovery)、ページング、およびトラヒックなどの機能に関して有意となるようにピアツーピアネットワーク内で分割され得る。さらに、各ピアツーピアネットワークはその独自の時間を設定することができることが考えられる。
【００３２】
無線端末１０２は、低トラヒック活動の期間中に低電力モード（例えば、スリープ状態）に入る可能性がある。低電力モードにある間、無線端末１０２はトラヒック要求をリッスンする、および／または復号化する必要はなく、したがって、低電力モードを利用する無線端末１０２に関連するバッテリー寿命を延ばすことができる。例えば、トラヒック要求の一部、または全てなどを低電力モードの間に無線端末１０２によって無視することができる。ピアツーピアネットワーク内の直接ピアツーピア通信を達成する前に、無線端末１０２（例えば、ピア）は、直接ピアツーピア通信を開始する通知で（例えば、ページングインターバル中に）互いをページングすることができる（例えば、トラヒックインターバル中に直接ピアツーピア通信が起こる可能性がある）。ページング無線端末（例えば、無線端末１０２の１つまたは複数）は、基地局１０４を通してＷＡＮにページング要求を出すことができ、ＷＡＮはその後、ターゲット無線端末（無線端末１０２の１つまたは複数）に対応するページングメッセージを送信する。例えば、ページングメッセージを、ターゲット無線端末によって監視されるＷＡＮのページングチャネルを通して転送することができる。ターゲット無線端末は既に、他のＷＡＮユーザからの可能なページングメッセージのためにＷＡＮのページングチャネルを監視することができることに留意されたい。ページング無線端末は実際、ターゲット無線端末をページングして、直接ピアツーピア接続をセットアップするためにＷＡＮページング機構を利用している。ピア間でこのようなページングが起こるプロセスは、ピアページングと呼ぶことができる。
【００３３】
（ページング端末からＷＡＮまたは基地局１０４への）ページング要求、およびページングメッセージは同じであってもよく、この場合、ＷＡＮまたは基地局１０４は、ＷＡＮのページングチャネルを使用してターゲット無線端末にページング要求を転送する。別の方法では、基地局１０４またはＷＡＮ内のいくつかのノードは、（例えば、ページングチャネル構造にページングメッセージを一致させることを可能にするために）ページング要求からページングメッセージを生成する。以下の説明は、ページング要求およびページングメッセージを区別しない。代わりに、説明では、ページング要求およびページングメッセージを示すために「ページングメッセージ」という用語を使用しており、特定の意味（例えば、ページングメッセージがページング無線端末からＷＡＮへの要求である、またはページングメッセージがＷＡＮからターゲット無線端末へのページングチャネル内のメッセージであるかどうか）を内容から判断することができる。
【００３４】
ページング無線端末からページング要求を受信する基地局は、（例えば、２つの無線端末が両方とも基地局のサービスエリア内にある場合）ターゲット無線端末にページングメッセージを送信する同じ基地局であることが可能である。別の方法では、第１の基地局は、ページング無線端末からページング要求を受信することができ、ターゲット無線端末が第１の基地局に関連するサービスエリアの外であることを実現することができる。例えば、第１の基地局は、ターゲット無線端末が第１の基地局に登録されていないことを認識することができる。その後、第１の基地局は、直接、またはコアＷＡＮネットワークを通してのいずれかによって、第２の基地局にページング要求を転送することができる。第２の基地局はその後、ターゲット無線端末にページングメッセージを送信する。ピアツーピア通信を開始する通知を備えるページングメッセージを受信する際、ターゲット無線端末は（例えば、低電力モードからの喚起の際に）対応するページング無線端末と直接通信することができる。
【００３５】
次に図２を参照すると、１つまたは複数のインフラノードを通してピアツーピアページングのためのページングメッセージを転送することを可能にするシステム２００が示されている。システム２００は、無線端末２０２および基地局２０４を備えているが、システム２００は、無線端末２０２と同様のほぼ任意の数の無線端末、および／または基地局２０４と同様のほぼ任意の数の基地局を備えることができることを理解されたい。無線端末２０２は、基地局２０４の付近内にあってもよい（例えば、データを無線端末２０２と基地局２０４の間で通信することができる）。加えて、無線端末２０２は、基地局２０４を通してインフラネットワーク（例えば、広域ネットワーク）に接続することができる。以下に無線端末２０２および基地局２０４に関するさらなる詳細を提供するが、このような例は１つまたは複数の基地局と相互作用する１つまたは複数の無線端末に同様に適用することができることを理解されたい。さらに、以下の多くは基地局２０４を介したページングメッセージを通信することに関するが、ほぼ任意のタイプのインフラノード（例えば、基地局、アクセスポイント、ルータ、・・・）を、加えてまたは別の方法で、このようなページングメッセージを転送するために利用することができると考えられる。
【００３６】
無線端末２０２は、無線端末２０２の基地局２０４に、および／またはそこからページングメッセージを送信および／または受信することを達成するピアページングコミュニケータ２０８を備えることができる。ピアページングコミュニケータ２０８はさらに、ページングメッセージジェネレータ２１０、ページングメッセージ送信機２１２、およびページングメッセージモニタ２１４を備えることができる。ターゲット無線端末（図示せず）との直接ピアツーピア通信が望ましいと判断した場合、無線端末２０２のページングメッセージジェネレータ２１０は、ページングメッセージを生成することができ、このようにして、無線端末２０２はページング無線端末であってもよい。ページングメッセージは、ページング無線端末２０２とターゲット無線端末の間の直接ピアツーピア通信に対する要求および／または通知を含むことができる。ページングメッセージはまた、ターゲット無線端末のネットワークアドレス（例えば、ＩＰアドレス）を含むことができる。例えば、範囲内の（１つまたは複数の）ピア（例えば、検出および／または識別された（１つまたは複数の）ピア、・・・）に関連する情報（例えば、セルラー識別子、ＭＡＣ識別子、ハッシュ化されたバージョンのプレーンテキスト名、ネットワークアドレス、・・・）は、ピア発見中に無線端末２０２によって得ることができ（例えば、各ピアはピア発見インターバル中にこのような情報をブロードキャストすることができ）、基地局またはＷＡＮを通したこのような（１つまたは複数の）ピアの１つまたは複数をページングすることに関して、ピアページングコミュニケータ２０８によって利用することができる（例えば、ページングメッセージジェネレータ２１０によって生成されたページングメッセージ内に含めることができる）。接続識別子、ページング端末（例えば、無線端末２０２、・・・）の識別子などの追加の情報はまた、ページングメッセージジェネレータ２１０によって生成されたページングメッセージに含めることができる。ページングメッセージジェネレータ２１０はまた、伝送のためにページングメッセージをパッケージングすることができる。例えば、ページングメッセージジェネレータ２１０は、基地局２０４（および／またはインフラネットワーク内の任意の異なるノード）を介してターゲット無線端末への転送のためにページングメッセージをフォーマット、符号化などすることができる。
【００３７】
ページングメッセージ送信機２１２は、基地局２０４にページングメッセージを送信し、その後、基地局２０４はターゲット無線端末にページングメッセージをルーティングすることを可能にすることができる。例えば、ページングメッセージ送信機２１２は、特定の基地局（例えば、基地局２０４）が範囲内にある（例えば、近くに位置決めされている）ことを識別することができ、したがって、ページングメッセージ送信機２１２はこのように認識された基地局２０４にページングメッセージを伝送することができる。ページングメッセージを伝送した後に、無線端末２０２は、対応するトラヒックインターバル中にターゲット無線端末との直接ピアツーピア通信の準備をすることができる。したがって、ページング後に、無線端末２０２およびターゲット無線端末は直接通信することができる（例えば、トラヒックは基地局２０４および／または任意の異なるインフラノード、・・・を通過する必要がないような、直接ピアツーピア通信）。例えば、無線端末２０２によって送信されたページングメッセージは、無線端末２０２がピアツーピアの方法で直接通信したいことをターゲット無線端末に（例えば、直接的に、間接的に、・・・）知らせることができる。
【００３８】
さらに、基地局２０４は、（１つまたは複数の）ページング無線端末（例えば、無線端末２０２、異なる無線端末（図示せず）、・・・）から（１つまたは複数の）ターゲット無線端末（例えば、異なる無線端末、無線端末２０２、・・・）にページを転送することを可能にするページングコミュニケータ２０６を備えている。ページングコミュニケータ２０６は、ページングメッセージレシーバ２１６、ページングメッセージアナライザ２１８、およびページングメッセージルータ２２０を備えることができる。ページングメッセージレシーバ２１６は、（例えば、ページングメッセージジェネレータ２１０によって生成された、および／またはページングメッセージ送信機２１２によって転送された、・・・）ページングメッセージを無線端末２０２から得ることができる。加えてまたは別の方法では、ページングメッセージレシーバ２１６は、様々なインフラノード（例えば、ＷＡＮインフラ）を介して通信されたページングメッセージを得ることができる。
【００３９】
ページングメッセージアナライザ２１８は、ページングメッセージを復号および評価することができる。例えば、ページングメッセージは、このようなページングメッセージが転送されているターゲット無線端末との直接ピアツーピア通信の要求に関連する情報を含むことができる。ページングメッセージはまた、ターゲット無線端末のネットワークアドレス（例えば、ターゲット無線端末のＩＰアドレスまたはＭＡＣ識別子、・・・）、接続識別子、ページング無線端末２０２に関連する識別子などを含むことができる。ページングメッセージアナライザ２１８は、ターゲット無線端末のアイデンティティ、および／またはターゲット無線端末が基地局２０４の近傍内にあるかどうかを判断することができる。ターゲット無線端末が基地局２０４の範囲内にない場合、ページングメッセージルータ２２０は、関連する通信インフラ（例えば、ネットワーク）にページングメッセージを転送することができる。通信インフラは、任意の数の異なるインフラノードによりターゲット無線端末にページングメッセージをルーティングすることができる。別の方法では、ターゲット無線端末が基地局２０４の近傍内にある場合、ページングメッセージルータ２２０は、ターゲット無線端末に直接ページングメッセージを伝送することができ（例えば、ページングメッセージをインフラネットワークに通信する必要がない、・・・）、それによって、ページングメッセージは異なるインフラノードを通過する必要がない。
【００４０】
無線端末２０２が低トラヒック活動を経験している時に、無線端末２０２は低電力モード（例えば、スリープ状態）に入ることができる。低電力モードの間に、ページングメッセージモニタ２１４は、（例えば、ページング無線端末から）基地局２０４によって送信されたページングメッセージを監視し続けることができる。基地局２０４からのページングメッセージを検出する際に、ページングメッセージモニタ２１４はページングメッセージを受信および復号することができる。ページングメッセージモニタ２１４は、ページングメッセージがページング無線端末によって生じる直接ピアツーピア通信の要求を含んでいることを判断することができ、したがって、ページングメッセージモニタ２１４は、次のトラヒック要求をリッスンするために無線端末２０２を低電力モードから喚起させることを可能にすることができる。さらに、ページングメッセージモニタ２１４は、このような直接ピアツーピア通信の時間、このような通信が達成される方法（例えば、接続ＩＤ）などを解読するためにページングメッセージを評価することができる。無線端末２０２はその後、要求無線端末との直接ピアツーピア通信を開始することができる。
【００４１】
次に図３を参照すると、ページングメッセージをインフラベースページング機構を介して転送することができる、直接ピアツーピア通信を開始するために、無線端末間でページングメッセージを転送するシステム３００が図示されている。システム３００は、任意の数の無線端末（例えば、無線端末３０２、３０４、３０６、・・・）、任意の数の基地局（例えば、基地局３０８、３１０、・・・）、および通信インフラ３１２（例えば、インフラネットワーク、広域ネットワーク、・・・）を備えることができる。無線端末３０２および３０４は、基地局３０８のサービスエリア内にあってもよく、無線端末３０６は基地局３１０のカバーエリア内にあってもよい。基地局３０８〜３１０は、通信インフラ３１２を介して結合させることができる。低トラヒック活動の期間中、無線端末３０２〜３０６は電力を節約するために低電力モード（例えば、スリープ状態）に入ることができる。無線端末３０２〜３０６は、低電力状態中に各ピアツーピアトラヒック要求をリッスンおよび復号する必要がない。互いとの直接ピアツーピア通信を確立する前に、無線端末３０２〜３０６は、低電力状態から互いを喚起するために互いをページングすることができる。各無線端末３０２〜３０６は、可能性のある次のページングメッセージのために対応する基地局３０８〜３１０のページングチャネルを監視し続けることができることに留意されたい。
【００４２】
例えば、無線端末３０２は、無線端末３０６との直接ピアツーピア通信を確立したい可能性がある。無線端末３０２、ページング無線端末は、無線端末３０６との直接ピアツーピア通信を要求するために利用されるページングメッセージを生成することができる。ページングメッセージは、無線端末３０６、ターゲット無線端末の独自の識別を含むことができる。ページングメッセージはまた、２つの端末（例えば、無線端末３０２および３０６）が、直接ピアツーピア接続を確立すると予測される時間、ページングメッセージのソースに関連する識別子（例えば、ページング無線端末３０２の識別子）、接続識別子などを含むことができる。ページング無線端末３０２は、ピアページングインターバル中に基地局３０８にページングメッセージを伝送することができる。ページングメッセージが、基地局３０８の範囲外にある無線端末３０６を意図していると認識した場合、基地局３０８はページングメッセージを通信インフラ３１２に転送することができる。通信インフラ３１２は、無線端末３０６に関連するホームエージェント３１４を含むことができる。ホームエージェント３１４は、ターゲット無線端末３０６の位置を追跡することができる（例えば、ホームエージェント３１４は、無線端末３０６が基地局３１０に関連していることを識別することができる）。さらに、ホームエージェント３１４は、ターゲット無線端末３０６に関連する基地局３１０に通信インフラ３１２を介してページングメッセージをルーティングすることを可能にすることができる。ホームエージェント３１４は、１つまたは複数の無線端末３０２〜３０６を追跡することが可能であり、さらに通信インフラ３１２は、ホームエージェント３１４と同様の任意の数のホームエージェントを含むことができると考えられる。ページングメッセージを受信する際に、基地局３１０はターゲット無線端末３０６にページングメッセージを伝送することができる。無線端末３０６は、基地局３１０からページングメッセージを監視および受信することができる。直接ピアツーピア通信の要求を含むページングメッセージを受信する際に、無線端末３０６を低電力モードから喚起することができ、無線端末は無線端末３０２との直接ピアツーピア通信を開始することができる。ページング無線端末３０２から生成されたページングメッセージは、２つの端末間に直接ピアツーピア接続を確立するために、ページングおよびターゲット無線端末によって使用することができるパラメータを含むことができる。例えば、パラメータとしては、接続の接続識別子、および接続が開始するはずである時間を挙げることができる。
【００４３】
基地局はまた、通信インフラ３１２をバイパスすることができ、ターゲット無線端末に直接ページングメッセージを伝送することができる。例えば、ページング無線端末３０２およびターゲット無線端末３０４が両方とも図示するように基地局３０８のサービスエリア内にある場合、ページング無線端末３０２からページングメッセージを受信する際に、基地局３０８はターゲット無線端末３０４が基地局３０８から通信を直接受信するように近傍内にあることを認識することができる。このような状況では、基地局３０８は、通信インフラ３１２（および／またはホームエージェント３１４）にページングメッセージを転送することなく、ターゲット無線端末３０４に直接ページングメッセージを伝送することができる。
【００４４】
図４を参照すると、ピアツーピアネットワーク上でのページングを達成する例示的なシステム４００が図示されている。システム４００は、基地局４１４と通信することができる無線端末２０２を備えている（例えば、無線端末２０２は基地局４１４のサービスエリア内にあってもよい）。無線端末４０２は、様々な機能（例えば、ピア発見、ページング、トラヒック）のパフォーマンスを調整する同期装置４０２を備えることができる。同期装置４０２は、重要な時間の概念を判断するために共通のクロック基準を得て、これを分析することができる。加えて、（１つまたは複数の）異なる無線端末は、同じ時間の概念を生成するために共通のクロック基準を得て、分析することができ、したがって、ローカルエリア内のピアは（例えば、同じ基地局４１４からの）同じ共通のクロック基準と同期することができる。したがって、ピアは、互いに直接通信することなく同じタイミング（同期されたタイミング）を得る。例えば、共通のクロック基準は、無線端末２０２の範囲内の基地局４１４によって伝送されるビーコン信号、およびピアであってもよい。さらに、無線端末２０２はピアページングコミュニケータ２０８を備えることができ、さらにこれは、ページングメッセージジェネレータ２１０、ページングメッセージ送信機２１２、およびページングメッセージモニタ２１４を備えている。
【００４５】
ページングメッセージジェネレータ２１０は、ページングメッセージ送信機２１２によって送信されるページングメッセージを生成することができ、ページングメッセージはターゲット無線端末（図示せず）を意図していてもよく、（例えば、無線端末２０２とターゲット無線端末の間で）直接ピアツーピア通信を達成するために、このようなターゲット無線端末によって利用することができる。一実施例によると、ページングメッセージジェネレータ２１０は、基地局４１４を介してターゲット無線端末（図示せず）に伝送することができるページングメッセージをページングメッセージ送信機２１２に提供することができる。ページング無線端末２０２からページングメッセージを受信する際に、基地局４１４はページングメッセージを分析することができ、（例えば、直接的に、間接的に、・・・）ターゲット無線端末にページングメッセージを伝送または転送することができる。例として、基地局４１４は、ターゲット無線端末が基地局４１４のサービスエリア内にある（例えば、無線端末２０２およびターゲット無線端末が共通のセル内に配置されている）場合、ターゲット無線端末にページングメッセージを伝送することができる。加えてまたは別の方法では、基地局４１４は、ターゲット無線端末の近傍で異なる基地局（図示せず）にルーティングするために、インフラネットワークにページングメッセージを提供することができる（例えば、無線端末２０２およびターゲット無線端末は異なるセル内に配置されている）。
【００４６】
ページングメッセージモニタ２１４は、基地局４１４からの次のページングメッセージをリッスンすることができる。ページングメッセージが検出されると、ページングメッセージモニタ２１４は、ページングメッセージを受信および復号することができる。直接ピアツーピア通信の通知が受信されると、ページングメッセージモニタ２１４は、低電力モードから無線端末２０２を喚起し、ページングメッセージの送信機との直接ピアツーピア通信をアクティブにすることができる。例えば、ページングメッセージモニタ２１４は、このような直接ピアツーピア通信を達成するためにページングメッセージ内に含まれた（例えば、（１つまたは複数の）識別子、（１つまたは複数の）時間、・・・に関連する）コンテンツを利用することができる。
【００４７】
無線端末２０２はまた、ピア発見コンポーネント４０４およびトラヒックコミュニケータ４０６を含むことができる。同期装置４０２によって生成された同期した時間の概念に基づいて、ピア発見コンポーネント４０４およびトラヒックコミュニケータ４０６は、このような機能に対するそれぞれ割り当てられた時間の間にピアツーピアネットワークを介して信号を伝送および／または受信することができる。ピア発見コンポーネント４０４は、無線端末２０２が異なるピアを検出および識別することを可能にする。さらに、割当されたトラヒックインターバル中に、無線端末２０２および無線端末２０２の（１つまたは複数の）ピアは、トラヒックコミュニケータ４０６を利用することによってトラヒックを伝送および／または受信することができる。
【００４８】
無線端末２０２は加えて、状態遷移器４０８を備えることができる。電力節約を行うために、状態遷移器４０８により、無線端末２０２がこのような機能に関連していない場合に、無線端末２０２が直接ピアツーピア通信以外の機能（例えば、ピア発見、トラヒック）に関連する時間インターバル中に低電力モード（例えば、スリープ状態）に切り換えることが可能になる。さらに、状態遷移器４０８は、無線端末２０２がピアと直接通信することを可能にするために、直接ピアツーピア通信中に無線端末２０２を（例えば、低電力モードから）アクティブ状態に切り換える。さらに、状態遷移器４０８は、無線端末２０２がスリープ状態にある間にページングタイムスロットをリッスンすることを可能にすることができる。ページングタイムスロットの周期性および継続時間は、インフラによって特定することができ、無線端末２０２は、ピアツーピアネットワークを結合する前にこれらのパラメータを知ることができる（例えば、同期装置４０２はこのようなパラメータの判断を可能にすることができる）。
【００４９】
さらに、無線端末２０２は、メモリ４１０およびプロセッサ４１２を備えることができる。メモリ４１０は、無線端末２０２に関連する識別子を保持することができる。さらに、メモリ４１０は、ピア発見コンポーネント４０４によって参照することができるバディピアのリストを含むことができる。加えて、メモリ４１０は、異なる無線端末と異なる機能の時間インターバルを同期させ、（例えば、基地局４１４から得られた情報に基づいて）ローカルエリア内にピアページングのための共通の時間帯を確立し、無線端末関連信号を伝送するためにピアページングインターバル内の（１つまたは複数の）位置を識別し、異なる無線端末に伝送するために信号を生成し、直接ピアツーピア通信の通知のために異なる無線端末をページングすることなどに関連する指示を保持することができる。さらに、プロセッサ４１２は、本明細書に記載した指示を実行することができる。
【００５０】
図５〜図７を参照すると、ピアツーピアネットワーク内でピアページングを行うことに関連する方法が図示されている。説明を簡単にする目的で、一連の動作として方法が図示および記載されているが、１つまたは複数の実施形態によると、いくつかの動作は本明細書に図示および記載したもの以外の動作と異なる順序でおよび／または同時に起こる可能性があるので、この方法論は動作の順序によって限定されるものではないことを理解および認識されたい。例えば、当業者は、この方法論を別の方法では状態図内などで、一連の相互関連状態またはイベントとして示すことができることを理解および認識するだろう。さらに、１つまたは複数の実施形態により方法論を実施するために、図示した全ての動作が必要ではないという可能性がある。
【００５１】
次に図５を参照すると、ピアツーピア通信を開始するために、（１つまたは複数の）インフラノードを介してターゲット無線端末をページングするためにページング無線端末を操作する方法論５００が図示されている。５０２では、ターゲット無線端末との直接ピアツーピア通信を開始するためのページング要求を生成することができる。ピアツーピアの方法で（例えば、トラヒックインターバル中に）トラヒックを通信するためにターゲット無線端末を選択することができる。さらに例えば、ページング要求は、ページングおよびターゲット無線端末（例えば、直接通信識別子またはネットワークアドレス）に関連するパラメータ、および／または２つの端末間に直接ピアツーピア接続を確立するために使用されるパラメータ（例えば、直接通信接続識別子、直接通信接続の開始時間、・・・）を含むことができる。ピア発見中に、生成されたページング要求内に組み込まれた情報の少なくとも一部を得ることができる（例えば、ターゲット無線端末の直接通信識別子をピア発見中に識別することができる）。５０４では、ターゲット無線端末にページング要求をルーティングするために、ページング要求を基地局に伝送することができる。例えば、ターゲット無線端末が基地局からのページングチャネルを監視するページングインターバル中にページング要求を転送することができ、ページングインターバルは、同期された時間に周期的に、通信インフラによって特定された持続時間で起こることができる。さらに、ページング要求を伝送するソース（例えば、ページング無線端末）は、ページング要求が転送される基地局のサービスエリア内に位置決めすることができる。基地局は、ターゲット無線端末にページング要求を直接的、間接的（例えば、任意の数のインフラノードを介して）などで転送することができる。５０６では、ターゲット無線端末との通信は、ピアツーピア接続を介して起こる可能性がある。例として、ページング要求に含まれるパラメータに基づいて直接通信を達成することができる。例えば、ページング要求によって特定された時間に直接通信を達成することができる。（例えば、図４で上に記載したように）時間を共通のクロックソースを参照して特定することができる。さらに、直接通信接続は、ページング要求に含まれるパラメータに基づいて接続識別子で達成することができる。
【００５２】
図６を参照すると、ピアツーピア通信を確立するために、（１つまたは複数の）インフラノードを介してページング無線端末によってページングされるようにターゲット無線端末を操作する方法論６００が図示されている。６０２では、基地局からの伝送をページングインターバル中に監視することができる。例えば、ページングインターバルをＷＡＮネットワーク内で（例えば、ＷＡＮから導き出された共通のクロック基準に基づいて）同期させることができ、それによって無線端末はページングチャネルをチェックするときが分かり、基地局は基地局が無線端末をページングするつもりである場合に無線端末にページングチャネルを送信するときが分かる。さらに、監視を達成するピア（例えば、ターゲット無線端末、ページングされた無線端末、・・・）は、スリープ状態とアクティブ状態の間で遷移することができ、例えば、ピアはピアを意図したトラヒックが不足している期間中にスリープ状態にあってもよく、したがって、ピアに関連する電力を節約することができる。加えて、スリープ状態にある間は、ピアはページングインターバル内で起こっている基地局からの伝送を監視することができ、一方、異なる時間での基地局からの伝送の少なくとも一部を無視することができる（例えば、監視、復号などする必要がない）。６０４では、ターゲット無線端末に関連するように基地局からの伝送に含まれるページングメッセージを決めることができる。ページングメッセージは、監視を行うピアに案内することができる。例えば、ページングメッセージで含まれるコンテンツ（例えば、ターゲット無線端末の直接通信識別子）を評価することによって、関連性を判断することができる。さらに、関連ページングメッセージを検出する際に、ピアはアクティブ状態に切り換えることができる。６０６では、通信（例えば、直接通信）は、ピアツーピア接続を介してページング無線端末で達成することができる。例によると、ページングメッセージのコンテンツに基づいて直接通信を達成することができる。例えば、ページングメッセージは、ページング無線端末を識別し、直接通信接続を開始する時間を判断し、直接通信に利用される接続を認識し、直接通信接続のために識別子を選択することなどを可能にするコンテンツを提供することができる。
【００５３】
図７を参照すると、直接ピアツーピア通信に関連して利用するためにピア間にページングメッセージをルーティングするのを容易にする方法論７００が図示されている。７０２では、ターゲット無線端末を意図したページング無線端末からページングメッセージを受信することができる。ページングメッセージを利用して、ページング無線端末とターゲット無線端末の間の直接ピアツーピア通信を開始することができる。例えば、ページングメッセージは基地局で得ることができるが、任意のインフラノード（例えば、アクセスポイント、ルータ、・・・）はページングメッセージを受信することができると考えられる。さらに、ターゲット無線端末のアイデンティティを解読するためにページングメッセージを評価することができる（例えば、ページングメッセージに組み込まれたターゲット無線端末に関連する識別子を分析することができる）。加えて、ページングメッセージを伝送するためのページングインターバルは、ターゲット無線端末のアイデンティティの関数として判断することができる。７０４では、ターゲット無線端末が関連するサービスエリア内にあるかどうかに関する判断を達成することができる。例えば、サービスエリアは、ページングメッセージを得る基地局に関連している可能性がある。ターゲット無線端末がサービスエリア内にある場合、方法論７００は７０６に進む。７０６では、ページングメッセージをターゲット無線端末に伝送することができる。したがって、ページング無線端末からページングメッセージを得る基地局から直接、ターゲット無線端末にページングメッセージを転送することができ、したがって、通信インフラ（例えば、ネットワーク）をバイパスすることができる。ターゲット無線端末が、こと７０４ではサービスエリアの外にあると判断された場合、方法論７００は７０８に進む。７０８では、ページングメッセージは、通信インフラを通してターゲット無線端末にルーティングすることができる。ページングメッセージは、ターゲット無線端末に転送される間にほぼ任意の数のインフラノードを通して通過させることができると考えられる。さらに、通信インフラは、ターゲット無線端末に対応するホームエージェントに関連させることができ、ホームエージェントは、ターゲット無線端末を配置する、および／またはページングメッセージをターゲット無線端末に提供することを可能にすることができる。
【００５４】
本明細書に記載した１つまたは複数の態様によると、ピアツーピア環境でのピアページングに関する推論を行うことができることが分かるだろう。本明細書で使用するように、「推論する」または「推論」という用語は普通、イベントおよび／またはデータを介して捕捉された一式の観察からシステム、環境および／またはユーザの状態を推測または推論するプロセスのことを言う。推論は、例えば、特定の内容または動作を識別するために利用することができる、または状態にわたる確率分布を生成することができる。推論は確率的なもの、すなわち、データおよびイベントの検討に基づく当該状態にわたる確率分布の演算である可能性がある。推論はまた、一式のイベントおよび／またはデータからより高レベルのイベントを構成するために利用される技法のことを言うことができる。このような推論は、イベントが一時的近接で相関しているかどうか、ならびにイベントおよびデータが１つまたはいくつかのイベントおよびデータソースから来ているかどうかに関わらず、一式の観察されたイベントおよび／または記憶されたイベントデータからの新規イベントまたは動作の構築につながる。
【００５５】
一実施例によると、上に提示した１つまたは複数の方法は、ピアツーピアネットワークを介した通信に関連して利用するためにページングメッセージをルーティングする場合に、ターゲット無線端末を識別および／または位置決めすることに関する推論を行うことを含むことができる。別の実施例によると、ページングメッセージが特定のピアに関連するかどうか判断することに関する推論を行うことができる。前述の実施例は実際は例示的なものであり、行うことができる推論の数、または本明細書に記載した様々な実施形態および／または方法と合わせてこのような推論を行う方法に限ることを意図したものではないことが分かるだろう。
【００５６】
図８は、多数のセル、セルＩ８０２、セルＭ８０４を含む様々な態様により実施される例示的な通信システム８００を示している。隣接したセル８０２、８０４は、セル境界領域８６８によって示されたように僅かに重複することに留意されたい。システム８００の各セル８０２、８０４は、３つのセクタを含んでいる。多数のセクタに分割されていないセル（Ｎ＝１）、２つのセクタを備えるセル（Ｎ＝２）、および３つより多いセクタを備えるセル（Ｎ＞３）も、様々な態様により可能である。セル８０２は、第１のセクタ、セクタＩ８１０、第２のセクタ、セクタＩＩ８１２、および第３のセクタ、セクタＩＩＩ８１４を含んでいる。各セクタ８１０、８１２、８１４は２つのセクタ境界領域を有し、各境界領域が２つの隣接するセクタ間で共有される。
【００５７】
セルＩ８０２は、各セクタ８１０、８１２、８１４内に基地局（ＢＳ）、基地局Ｉ８０６、および複数のエンドノード（ＥＮ）（例えば、無線端末）を備えている。セクタＩ８１０はＥＮ（１）８３６およびＥＮ（Ｘ）８３８を備えており、セクタＩＩ８１２はＥＮ（１’）８４４およびＥＮ（Ｘ’）８４６を備えており、セクタＩＩＩ８１４はＥＮ（１”）およびＥＮ（Ｘ”）８５４を備えている。同様に、セルＭ８０４は、各セクタ８２２、８２４、８２６内に基地局Ｍ８０８、および複数のエンドノード（ＥＮ）を備えている。セクタＩ８２２はＥＮ（１）８３６’およびＥＮ（Ｘ）８３８’を備えており、セクタＩＩ８２４はＥＮ（１’）８４４’およびＥＮ（Ｘ’）８４６’を備えており、セクタ３  ８２６はＥＮ（１”）８５２’およびＥＮ（Ｘ”）８５４’を備えている。
【００５８】
システム８００はまた、それぞれネットワークリンク８６２、８６４を介してＢＳＩ８０６およびＢＳＭ８０８に結合されたネットワークノード８６０を備えている。ネットワークノード８６０はまた、ネットワークリンク８６６を介して他のネットワークノード、例えば他の基地局、ＡＡＡサーバノード、中間ノード、ルータなどおよびインターネットに結合されている。ネットワークリンク８６２、８６４、８６６は例えば、光ファイバケーブルであってもよい。各エンドノード、例えばＥＮ（１）８３６は、送信機およびレシーバを含む無線端末であってもよい。無線端末、例えばＥＮ（１）８３６は、システム８００を通して移動することができ、ＥＮが現在置かれているセル内の基地局と無線リンクを介して通信することができる。無線端末、（ＷＴ）、例えばＥＮ（１）８３６は、基地局、例えばＢＳ８０６、および／またはネットワークノード８６０を介してピアノード、例えばシステム８００内またはシステム８００外の他のＷＴと通信することができる。ＷＴ、例えばＥＮ（１）８３６は、セルラー電話機、無線モデムを備える携帯情報端末などであってもよい。
【００５９】
ローカルエリアピアツーピア通信はまた、通信システム８００によってサポートすることができる。例えば、共通のスペクトルを、ローカルエリアピアツーピア通信と、広域ネットワーク（例えば、セルラーインフラネットワーク）を介した通信の両方に利用することができる。無線端末は、ピアツーピアネットワーク８７０、８７２、および８７４などのローカルエリアピアツーピアネットワークを介して他のピアと通信することができる。３つのピアツーピアネットワーク８７０〜８７４が図示されているが、任意の数、サイズ、形状などのピアツーピアネットワークをサポートすることができることを理解されたい。例えば、各ピアツーピアネットワーク８７０〜８７４は、無線端末間の信号転送を直接サポートすることができる。さらに、各ピアツーピアネットワーク８７０〜８７４は、同様の地理的領域内（例えば、互いの範囲内）に無線端末を備えることができる。例えば、ＥＮ（１）８３６は、ローカルエリアピアツーピアネットワーク８７０によりＥＮ（Ｘ）８３８と通信することができる。しかし、無線端末は共通のピアツーピアネットワーク内に含まれるのと同じセクタおよび／またはセルに関連している必要はないことを理解されたい。さらに、ピアツーピアネットワークは重複することができる（例えば、ＥＮ（Ｘ’）８４６はピアツーピアネットワーク８７２および８７４を利用することができる）。加えて、いくつかの無線端末は、ピアツーピアネットワークによってサポートされていない可能性がある。無線端末は、このようなネットワークが（例えば、同時にまたは直列に）重複している場合に、広域ネットワークおよび／またはピアツーピアネットワークを利用することができる。さらに、無線端末はこのようなネットワークを切れ目なく切り換えるまたは同時に利用することができる。したがって、無線端末は伝送および／または受信に関わらず、ネットワークの１つまたは複数を選択的に利用して、通信を最適化することができる。
【００６０】
図９は、様々な態様による例示的な基地局９００を示している。基地局９００は、トーンサブセット割当シーケンスを実施し、異なるトーンサブセット割当シーケンスがそれぞれ異なるセクタタイプのセルに対して生成される。基地局９００は、図８のシステム８００の基地局８０６、８０８の任意のものとして使用することができる。基地局９００は、様々な要素９０２、９０４、９０６、９０８および９１０が上でデータおよび情報を交換することができる、バス９０９によって共に結合されたレシーバ９００、送信機９０４、プロセッサ９０６、例えばＣＰＵ、入出力インターフェイス９０８、およびメモリ９１０を備えている。
【００６１】
レシーバ９０２に結合されたセクタ化アンテナ９０３は、基地局のセル内の各セクタからの無線端末伝送からデータおよび他の信号、例えばチャネルレポートを受信するために使用される。送信機９０４に結合されたセクタ化アンテナ９０５は、基地局のセルの各セクタ内の無線端末１０００（図１０参照）にデータおよび他の信号、例えば制御信号、パイロット信号、ビーコン信号などを伝送するために使用される。様々な態様では、基地局９００は、多数のレシーバ９０２および多数の送信機９０４、例えば各セクタ用の個別のレシーバ９０２および各セクタ用の個別の送信機９０４を利用することができる。プロセッサ９０６は、例えば汎用中央処理装置（ＣＰＵ）であってもよい。プロセッサ９０６は、メモリ９１０内に記憶された１つまたは複数のルーチン９１８の方向により基地局９００の動作を制御し、方法を実施する。入出力インターフェイス９０８は、他のネットワークノードへの接続を行い、ＢＳ９００を他の基地局、アクセスルータ、ＡＡＡサーバノードなど、他のネットワーク、およびインターネットに結合させる。メモリ９１０は、ルーチン９１８およびデータ／情報１１２０を含んでいる。
【００６２】
データ／情報９２０は、データ９３６、ダウンリンクストリップシンボル時間情報９４０およびダウンリンクトーン情報９４２を含むトーンサブセット割当シーケンス情報１１３８、ならびに複数のセットのＷＴ情報、ＷＴ１情報９４６およびＷＴＮ情報９６０を含む無線端末（ＷＴ）データ／情報９４４を含んでいる。各セットのＷＴ情報、例えばＷＴ１情報９４６は、データ９４８、端末ＩＤ９５０、セクタＩＤ９５２、アップリンクチャネル情報９５４、ダウンリンクチャネル情報９５６、およびモード情報９５８を含んでいる。
【００６３】
ルーチン９１８は、通信ルーチン９２２および基地局制御ルーチン９２４を含んでいる。基地局制御ルーチン９２４は、スケジューラモジュール９２６、およびストリップシンボル周期に対するトーンサブセット割当ルーチン９３０、シンボル周期の残り、例えば非ストリップシンボル周期に対する他のダウンリンクトーン割当ホッピングルーチン９３２、およびビーコンルーチン９３４を含むシグナリングルーチン９２８を含んでいる。
【００６４】
データ９３６は、ＷＴへの伝送の前に符号化するための送信機９０４の符号器９１４に送信される伝送データ、および受信の後にレシーバ９０２の復号器９１２を通して処理されたＷＴからの受信データを含んでいる。ダウンリンクストリップシンボル時間情報９４０は、スーパースロット、ビーコンスロット、およびウルトラスロット構造情報などのフレーム同期構造情報、および所与のシンボル周期がストリップシンボル周期であるかどうか、そうである場合、ストリップシンボル周期のインデックス、およびストリップシンボルが基地局によって使用されるトーンサブセット割当シーケンスをトランケート(truncate)するための再設定ポイントであるかどうかを特定する情報を含んでいる。ダウンリンクトーン情報９４２は、基地局９００に指定された搬送波周波数、トーンの数および周波数、ならびにストリップシンボル周期に割り当てられるトーンサブセットのセット、ならびにスロープ、スロープインデックスおよびセクタタイプなどの他のセルならびにセクタ特定値を含む情報を含んでいる。
【００６５】
データ９４８は、ＷＴ１１０００がピアノードから受信したデータ、ＷＴ１１０００がピアノードに伝送したいデータ、およびダウンリンクチャネル品質レポートフィードバック情報を含むことができる。端末ＩＤ９５０は、ＷＴ１１０００を識別する基地局９００割当ＩＤである。セクタＩＤ９５２は、ＷＴ１１０００が中で動作しているセクタを識別する情報を含んでいる。セクタＩＤ９５２は、例えばセクタタイプを判断するために使用することができる。アップリンクチャネル情報９５４は、例えばデータ用アップリンクトラヒックチャネルセグメント、要求、電力制御、タイミング制御などのための専用アップリンク制御チャネルを使用するために、ＷＴ１１０００に対してスケジューラ９２６によって割り当てられたチャネルセグメントを識別する情報を含んでいる。ＷＴ１１０００に指定された各アップリンクチャネルは、それぞれアップリンクホッピングシーケンスに従う１つまたは複数の論理トーンを含んでいる。ダウンリンクチャネル情報９５６は、ＷＴ１１０００にデータおよび／または情報を運ぶためにスケジューラ９２６によって割り当てられたチャネルセグメント、例えばユーザデータ用のダウンリンクトラヒックチャネルセグメントを識別する情報を含んでいる。ＷＴ１１０００に指定された各ダウンリンクチャネルは、それぞれダウンリンクホッピングシーケンスに従う１つまたは複数の論理トーンを含んでいる。モード情報９５８は、ＷＴ１１０００の動作の状態、例えばスリープ、ホールド、オンを識別する情報を含んでいる。
【００６６】
通信ルーチン９２２は、様々な通信動作を行い、様々な通信プロトコルを実施するように基地局９００を制御する。基地局制御ルーチン９２４は、基地局９００を制御して、基本的な基地局機能タスク、例えば信号生成および受信、スケジューリングを行い、ストリップシンボル周期中にトーンサブセット割当シーケンスを使用した無線端末への信号の伝送を含むいくつかの態様の方法のことを実施するために使用される。
【００６７】
シグナリングルーチン９２８は、その復号器９１２を備えるレシーバ９０２、およびその符号器９１４を備える送信機９０４の動作を制御する。シグナリングルーチン９２８は、伝送データ９３６および制御情報の生成を制御する責任を担っている。トーンサブセット割当ルーチン９３０は、態様の方法を使用して、ならびにダウンリンクストリップシンボル時間情報９４０およびセクタＩＤ９５２を含むデータ／情報９２０を使用して、ストリップシンボル周期で使用されるようにトーンサブセットを構築する。ダウンリンクトーンサブセット割当シーケンスは、セル内の各セクタタイプで異なり、隣接するセルで異なる。ＷＴ１０００は、ダウンリンクトーンサブセット割当シーケンスに従ってストリップシンボル周期内で信号を受信し、基地局９００は伝送信号を生成するために同じダウンリンクトーンサブセット割当シーケンスを使用する。他のダウンリンクトーン割当ホッピングルーチン９３２は、ストリップシンボル周期以外のシンボル周期で、ダウンリンクトーン情報９４２およびダウンリンクチャネル情報９５６を含む情報を使用して、ダウンリンクトーンホッピングシーケンスを構築する。ダウンリンクデータトーンホッピングシーケンスは、セルのセクタにわたって同期される。ビーコンルーチン９３４は、同期の目的で、例えばダウンリンク信号のフレームタイミング構造、したがってウルトラスロット境界に関してトーンサブセット割当シーケンスを同期させるために使用することができる、ビーコン信号、例えば１つまたはいくつかのトーン上に集中された比較的高出力信号の伝送を制御する。
【００６８】
図１０は、無線端末（例えば、エンドノード、モバイルデバイス、・・・）の任意のもの、例えば図８に示すシステム８００のＥＮ（１）８３６として使用することができる、例示的な無線端末（例えば、エンドノード、モバイルデバイス、・・・）１０００を示している。無線端末１０００は、トーンサブセット割当シーケンスを実施する。無線端末１０００は、様々な要素１００２、１００４、１００６、１００８が上でデータおよび情報を交換することができる、バス１０１０によって共に結合された、復号器１００２を備えるレシーバ１００２、符号器１０１４を備える送信機１００４、プロセッサ１００６、およびメモリ１００８を備えている。基地局９００（および／または異なる無線端末）から信号を受信するために使用されるアンテナ１００３は、レシーバ１００２に結合されている。例えば基地局９００（および／または異なる無線端末）に信号を伝送するために使用されるアンテナ１００５は、送信機１００４に結合されている。
【００６９】
プロセッサ１００６（例えば、ＣＰＵ）は、無線端末１０００の動作を制御し、ルーチン１０２０を実行し、メモリ１００８内のデータ／情報１０２２を使用することによって方法を実施する。
【００７０】
データ／情報１０２２は、ユーザデータ１０３４、ユーザ情報１０３６、トーンサブセット割当シーケンス情報１０５０、およびバディピアリスト１０５６を含んでいる。ユーザデータ１０３４は、基地局９００への送信機１００４による伝送の前に符号化するために符号器１０１４にルーティングされる、ピアノードを意図したデータ、およびレシーバ１００２内の復号器１０１２によって処理された基地局９００から受信したデータを含むことができる。ユーザ情報１０３６は、アップリンクチャネル情報１０３８、ダウンリンクチャネル情報１０４０、端末ＩＤ情報１０４２、基地局ＩＤ情報１０４４、セクタＩＤ情報１０４６、およびモード情報１０４８を含んでいる。アップリンクチャネル情報１０３８は、基地局９００への伝送の場合に使用するために、無線端末１０００に対して基地局９００によって指定されたアップリンクチャネルセグメントを識別する情報を含んでいる。アップリンクチャネルは、アップリンクトラヒックチャネル、専用アップリンク制御チャネル、例えば要求チャネル、電力制御チャネルおよびタイミング制御チャネルを含むことができる。各アップリンクチャネルは、それぞれアップリンクトーンホッピングシーケンスに従う１つまたは複数の論理トーンを含んでいる。アップリンクホッピングシーケンスは、各セクタタイプのセルの間および隣接するセルの間で異なる。ダウンリンクチャネル情報１０４０は、ＢＳ９００がＷＴ１０００にデータ／情報を伝送している場合に使用するために、ＷＴ１０００に基地局９００によって指定されたダウンリンクチャネルセグメントを識別する情報を含んでいる。ダウンリンクチャネルは、ダウンリンクトラヒックチャネルおよび指定チャネルを含むことができ、各ダウンリンクチャネルは、セルの各セクタ間で同期される、ダウンリンクホッピングシーケンスに従う１つまたは複数の論理トーンを含んでいる。
【００７１】
ユーザ情報１０３６はまた、基地局９００割当識別である端末ＩＤ情報１０４２、ＷＴが通信を確立した特定の基地局９００を識別する基地局ＩＤ情報１０４４、およびＷＴ９００が現在置かれているセルの特定のセクタを識別するセクタＩＤ情報１０４６を含んでいる。基地局ＩＤ１０４４はセルスロープ値を提供し、セクタＩＤ情報１０４６はセクタインデックスタイプを提供し、セルスロープ値およびセクタインデックスタイプは、トーンホッピングシーケンスを導き出すために使用することができる。ユーザ情報１０３６にも含まれているモード情報１０４８は、ＷＴ１０００がスリープモード、ホールドモード、またはオンモードにあるかどうかを識別する。
【００７２】
トーンサブセット割当シーケンス情報１０５０は、ダウンリンクストリップシンボル時間情報１０５２およびダウンリンクトーン情報１０５４を含んでいる。ダウンリンクストリップシンボル時間情報１０５２は、スーパースロット、ビーコンスロット、およびウルトラスロット構造情報などのフレーム同期構造情報、ならびに所与のシンボル周期がストリップシンボル周期であるかどうか、そうである場合、ストリップシンボル周期のインデックス、およびストリップシンボルが基地局によって使用されるトーンサブセット割当シーケンスをトランケートするための再設定ポイントであるかどうかを特定する情報を含んでいる。ダウンリンクトーン情報１０５４は、基地局９００に指定された搬送波周波数、トーンの数および周波数、ならびにストリップシンボル周期に割り当てられるトーンサブセットのセット、ならびにスロープ、スロープインデックスおよびセクタタイプなどの他のセルおよびセクタ特定値を含む情報を含んでいる。
【００７３】
ルーチン１０２０は、通信ルーチン１０２４、無線端末制御ルーチン１０２６、同期ルーチン１０２８、ページングメッセージ生成／ブロードキャストルーチン１０３０、およびページングメッセージ検出ルーチン１０３２を含んでいる。通信ルーチン１０２４は、ＷＴ１０００によって使用される様々な通信プロトコルを制御する。例えば、通信ルーチン１０２４は、（例えば、基地局９００で）広域ネットワーク、および／または（例えば、（１つまたは複数の）異なる無線端末で直接）ローカルエリアピアツーピアネットワークを介した通信を可能にすることができる。別の例として、通信ルーチン１０２４は、（例えば、基地局９００から）ブロードキャスト信号を受信することを可能にすることができる。無線端末制御ルーチン１０２６は、レシーバ１００２および送信機１００４の制御を含む基本的な無線端末１０００の機能性を制御する。同期ルーチン１０２８は、（例えば、基地局９００からの）受信信号への無線端末１０００の同期を制御する。ピアツーピアネットワーク内のピアはまた、信号に同期させることができる。例えば、受信信号はビーコン、ＰＮ（擬似ランダム）シーケンス信号、パイロット信号などであってもよい。さらに、信号を周期的に得ることができ、ピアにも知られている（例えば、同期ルーチン１０２８に関連する）プロトコルを利用して、個別の機能（例えば、ピア発見、ページング、トラヒック）に対応するインターバルを識別することができる。ページングメッセージ生成／ブロードキャストルーチン１０３０は、識別したピアページングインターバル中の伝送のためのメッセージ生成を制御する。メッセージに関連するシンボルおよび／またはトーンは、（例えば、ページングメッセージ生成／ブロードキャストルーチン１０３０に関連する）プロトコルに基づいて選択することができる。さらに、ページングメッセージ生成／ブロードキャストルーチン１０３０は、ピアツーピアネットワーク内のピアへのメッセージの送信を制御することができる。ページングメッセージ検出ルーチン１０３２は、識別したピアページングインターバル中に受信したメッセージに基づいたピアの検出および識別を制御する。さらに、ページングメッセージ検出ルーチン１０３２は、少なくとも部分的にバディピアリスト１０５６内に保持された情報に基づいてピアを識別することができる。
【００７４】
図１１を参照すると、直接ピアツーピア通信の通知のためにページングメッセージを生成および伝送することを可能にするシステム１１００が図示されている。例えば、システム１１００は少なくとも部分的に無線端末内にあってもよい。システム１１００は、プロセッサ、ソフトウェア、またはその組合せ（例えば、ファームウェア）によって実施される機能を示す機能ブロックであってもよい機能ブロックを含むように示されていることを理解されたい。システム１１００は、連動して動作することができる電気コンポーネントの論理グループ分け１１０２を含んでいる。例えば、論理グループ分け１１０２は、ターゲット無線端末１１０４との直接ピアツーピア通信を開始するためのページング要求を生成するための電気コンポーネントを含むことができる。図によると、ページング要求は、ターゲット無線端末のセルラー識別、直接ピアツーピア通信の時間、直接ピアツーピア通信で利用する接続の識別などに関連するデータを含むことができる。さらに、論理グループ分け１１０２は、ターゲット無線端末１１０６にページング要求をルーティングするように基地局にページング要求を転送するための電気コンポーネントを含むことができる。論理グループ分け１１０２はまた、ピアツーピア接続１１０８を介してターゲット無線端末と（例えば、直接）通信するための電気コンポーネントを含むことができる。加えて、システム１１００は、電気コンポーネント１１０４、１１０６および１１０８に関連する機能を実行する指示を保持するメモリ１１１０を備えることができる。メモリ１１１０の外部にあるように示されているが、電気コンポーネント１１０４、１１０６および１１０８の１つまたは複数はメモリ１１１０内に存在してもよいことを理解されたい。
【００７５】
次に図１２を参照すると、直接ピアツーピア通信のためにページングメッセージをルーティングすることを可能にする例示的システム１２００が示されている。例えば、システム１２００は少なくとも部分的に基地局内にあってもよい。システム１２００は、プロセッサ、ソフトウェア、またはその組合せ（例えば、ファームウェア）によって実施される機能を示す機能ブロックであってもよい機能ブロックを含むように示されていることを理解されたい。システム１２００は、連動して動作することができる電気コンポーネントの論理グループ分け１２０２を含んでいる。例えば、論理グループ分け１２０２は、ターゲット無線端末１２０４を対象としたページング無線端末からページングメッセージを得るための電気コンポーネントを含むことができる。さらに、論理グループ分け１２０２は、ターゲット無線端末が対応するサービスエリア１２０６内にあるかどうかを判断するための電気コンポーネントを含むことができる。論理グループ分け１２０２はまた、無線端末１２０８間の直接ピアツーピア通信を可能にするための判断に従って、ターゲット無線端末にページングメッセージをルーティングするための電気コンポーネントを含むことができる。例えば、ターゲット無線端末が（例えば、基地局に）近接してあることを判断した場合、ページングメッセージをターゲット無線端末に直接送信することができる。別の例によると、ターゲット無線端末がサービスエリアの外にあると判断した場合、ページングメッセージは通信インフラを介してターゲット無線端末に間接的にルーティングすることができる。加えて、システム１２００は、電気コンポーネント１２０４、１２０６および１２０８に関連する機能を実行するための指示を保持するメモリ１２１０を備えることができる。メモリ１２１０の外部にあるように示されているが、電気コンポーネント１２０４、１２０６および１２０８の１つまたは複数はメモリ１２１０内に存在してもよいことを理解されたい。
【００７６】
図１３を参照すると、（１つまたは複数の）インフラノードを介してページング無線端末によってページングすることが可能なシステム１３００が図示されている。例えば、システム１３００は少なくとも部分的に無線端末内にあってもよい。システム１３００は、プロセッサ、ソフトウェア、またはその組合せ（例えば、ファームウェア）によって実施される機能を示す機能ブロックであってもよい機能ブロックを含むように示されていることを理解されたい。システム１３００は、連動して動作することができる電気コンポーネントの論理グループ分け１３０２を含んでいる。例えば、論理グループ分け１３０２は、ページングインターバル１３０４の間に基地局からの伝送を監視する電気コンポーネントを含むことができる。さらに、論理グループ分け１３０２は、ページングインターバル内の基地局からの伝送内に含まれるページングメッセージがターゲット無線端末１３０６に関連していることを判断するための電気コンポーネントを含むことができる。論理グループ分け１３０２はまた、ピアツーピア接続１３０８を介してページング無線端末と通信するための電気コンポーネントを含むことができる。加えて、システム１３００は、電気コンポーネント１３０４、１３０６および１３０８に関連する機能を実行する指示を保持するメモリ１３１０を備えることができる。メモリ１３１０の外部にあるように示されているが、電気コンポーネント１３０４、１３０６および１３０８の１つまたは複数はメモリ１３１０内に存在してもよいことを理解されたい。
【００７７】
実施形態がソフトウェア、ファームウェア、ミドルウェアまたはマイクロコード、プログラムコードまたはコードセグメント内で実施される場合、記憶コンポーネントなどの機械読取可能媒体に記憶することができる。コードセグメントは、プロシージャ、関数、サブプログラム、プログラム、ルーチン、サブルーチン、モジュール、ソフトウェアパッケージ、クラス、または指示、データ構造、もしくはプログラム文の任意の組合せを示すことができる。コードセグメントは、情報、データ、引数、パラメータ、またはメモリコンテンツを通過させるおよび／または受信することによって、別のコードセグメントまたはハードウェア回路に結合させることができる。情報、引数、パラメータ、データなどは、メモリ共有、メッセージ通過、トークン通過、ネットワーク伝送などを含む任意の適切な手段を使用して通過、転送、または伝送させることができる。
【００７８】
ソフトウェア実施では、本明細書に記載された技法は、本明細書で記載された機能を行うモジュール（例えば、プロシージャ、関数など）で実施することができる。ソフトウェアコードは、メモリユニットに記憶し、プロセッサによって実行することができる。メモリユニットは、プロセッサ内で、またはプロセッサ外部で実行することができ、この場合、当技術分野で知られているように様々な手段を介してプロセッサに通信可能に結合させることができる。
【００７９】
上に記載したものは１つまたは複数の実施形態の例を含んでいる。もちろん、前述の実施形態を記載する目的で構成要素または方法論の全ての考えられる組合せを記載することは不可能であるが、当業者は様々な実施形態の多くの別の組合せおよび置換えが可能であることを理解することができる。したがって、記載した実施形態は、添付の特許請求の範囲の精神および範囲内にあるこのような改変、変更および変化を含むことを意図している。さらに、「含む（ｉｎｃｌｕｄｅｓ）」という用語が詳細な説明または特許請求の範囲のいずれかで使用される範囲において、このような用語は「備えている（ｃｏｍｐｒｉｓｉｎｇ）」という用語と同様の方法で包含的であることを意図したものである。というのは、「備えている（ｃｏｍｐｒｉｓｉｎｇ）」は、特許請求の範囲の暫定的用語として利用される場合に解釈されるからである。
【図１】
2010533440.tif 000003
【図２】
2010533440.tif 000004
【図３】
2010533440.tif 000005
【図４】
2010533440.tif 000006
【図５】
2010533440.tif 000007
【図６】
2010533440.tif 000008
【図７】
2010533440.tif 000009
【図８】
2010533440.tif 000010
【図９】
2010533440.tif 000011
【図１０】
2010533440.tif 000012
【図１１】
2010533440.tif 000013
【図１２】
2010533440.tif 000014
【図１３】
2010533440.tif 000015
【国際調査報告】
2010533440.tif 000016
2010533440.tif 000017
2010533440.tif 000018